(57)【要約】【課題】容易に組み立てることができる階段装置、側板、及び階段装置の組み立て方法を提供する。【解決手段】本実施の形態に係る階段装置は、壁体の一面に沿う下階側の直階段と前記壁体の他面に沿う上階側の直階段とを連結する廻り階段が、前記壁体の前記端面と前記壁体の前記一面との角部に配されている第１の段板と、前記壁体の前記端面と前記壁体の前記他面との角部に配されている第２の段板と、前記第１の段板の上階側に隣り合う第３の段板と、該第３の段板の上階側且つ前記第２の段板の下階側に隣り合う第４の段板と、前記第１の段板及び前記第３の段板夫々の周縁の一部が挿入されている切り欠き又は挿入溝が設けられており、前記壁体の前記端面に取り付けられている下側板と、前記第２の段板及び前記第４の段板夫々の周縁の一部が挿入されている切り欠き又は挿入溝が設けられており、前記壁体の前記端面に取り付けられている上側板とを有する。【選択図】図４
2019044565.tif 000002
【特許請求の範囲】
【請求項１】
壁体の両面及び端面に沿ってＵ字状に折り返す階段装置において、
前記壁体の一面に沿う下階側の直階段と、
前記壁体の他面に沿う上階側の直階段と、
前記下階側の直階段と前記上階側の直階段とを連結する廻り階段と
を備え、
前記廻り階段は、
前記壁体の前記端面と前記壁体の前記一面との角部に配されている第１の段板と、
前記壁体の前記端面と前記壁体の前記他面との角部に配されている第２の段板と、
前記第１の段板の上階側に隣り合う第３の段板と、
該第３の段板の上階側且つ前記第２の段板の下階側に隣り合う第４の段板と、
前記第１の段板及び前記第３の段板夫々の周縁の一部が挿入されている切り欠き又は挿入溝が設けられており、前記壁体の前記端面に取り付けられている下側板と、
前記第２の段板及び前記第４の段板夫々の周縁の一部が挿入されている切り欠き又は挿入溝が設けられており、前記壁体の前記端面に取り付けられている上側板と
を有することを特徴とする階段装置。
【請求項２】
前記下側板は、
前記第１の段板の周縁の一部が挿入されており、前記壁体の前記一面に近い側が開放されるようにして前記下側板の周縁に設けられている切り欠きと、
前記第３の段板の周縁の一部が挿入されており、前記下側板の一面に沿う横方向に延びるようにして該一面に設けられており、前記壁体の前記他面に近い側の端部が開放されている挿入溝と
を有し、
前記下側板の他面が前記壁体の前記端面に接触するようにして前記壁体の前記端面に取り付けられており、
前記上側板は、
前記第２の段板の周縁の一部が挿入されており、前記壁体の前記他面に近い側が開放されるようにして前記上側板の周縁に設けられている切り欠きと、
前記第４の段板の周縁の一部が挿入されており、前記上側板の一面に沿う横方向に延びるようにして該一面に設けられており、前記壁体の前記他面に近い側の端部が開放されている挿入溝と
を有し、
前記下側板に上側から接触し、
前記上側板の他面が前記壁体の前記端面に接触するようにして前記壁体の前記端面に取り付けられていることを特徴とする請求項１に記載の階段装置。
【請求項３】
前記廻り階段は、
前記壁体の前記他面に取り付けられており、前記第２の段板が載置されている載置台
を有し、
該載置台及び前記上側板夫々は、前記第２の段板の下側にて互いに上下方向に接触している接触部を有し
前記下階側の直階段は、
一面が前記壁体の前記一面に接触するようにして前記壁体の前記一面に取り付けられている側板
を備え、
該側板は、
前記第１の段板の周縁の他の一部が挿入されており、前記側板の他面に沿う横方向に延びるようにして該他面に設けられており、前記壁体の前記端面に近い側の端部が開放されている挿入溝を有することを特徴とする請求項２に記載の階段装置。
【請求項４】
前記廻り階段は、
前記第１の段板の下階側に隣り合う第５の段板と、
前記第２の段板の上階側に隣り合う第６の段板と、
一面が前記壁体の前記一面に接触するようにして前記壁体の前記一面に取り付けられている下補助側板と、
一面が前記壁体の前記他面に接触するようにして前記壁体の前記他面に取り付けられている上補助側板と
を有し、
該上補助側板及び前記上側板夫々は、前記第２の段板の下側にて互いに上下方向に接触している接触部を有し、
前記下補助側板及び前記下側板夫々は、前記第１の段板の下側にて互いに上下方向に接触している接触部を有し、
前記下補助側板は、前記第１の段板の周縁の他の一部が挿入されており、前記壁体の前記端面に近い側が開放されるようにして前記下補助側板の周縁に設けられている切り欠きを有し、
前記上補助側板は、
前記第２の段板の周縁の他の一部が挿入されており、前記壁体の前記端面に近い側が開放されるようにして前記上補助側板の周縁に設けられている切り欠きと、
前記第６の段板の周縁の一部が挿入されており、前記上補助側板の他面に沿う横方向に延びるようにして該他面に設けられており、前記壁体の前記端面から遠い側の端部が開放されている挿入溝と
を有し、
前記下階側の直階段は、
一面が前記壁体の前記一面に接触するようにして前記壁体の前記一面に取り付けられている側板
を備え、
該側板は、
前記第５の段板の周縁の一部が挿入されており、前記側板の他面に沿う横方向に延びるようにして該他面に設けられており、前記壁体の前記端面に近い側の端部が開放されている挿入溝を有し、前記下補助側板に下側から接触していることを特徴とする請求項２に記載の階段装置。
【請求項５】
前記上側板の前記一面に凹部が設けられており、
前記一面の少なくとも前記凹部の内面を除く部分は化粧されており、
夫々が前記凹部の前記内面を貫通している複数の固定用部材によって、前記上側板が前記壁体に固定されており、
化粧された面を有する板状の化粧部材が、前記化粧された面が前記上側板の前記一面と面一になるようにして前記凹部の前記内面を覆っていることを特徴とする請求項２から４の何れか一項に記載の階段装置。
【請求項６】
前記上側板は上下方向に長く、
前記上側板の前記一面は化粧されており、
前記上側板の上端面に、上向きに突出する凸部が設けられており、
夫々が前記凸部を貫通している複数の固定用部材によって、前記上側板が前記壁体に固定されており、
化粧された一面と凹部とを有する板状の化粧部材が、前記化粧された一面が前記上側板の前記一面と面一になり、前記凸部が前記凹部に収容されるようにして、前記凸部及び前記上端面を覆っていることを特徴とする請求項２から４の何れか一項に記載の階段装置。
【請求項７】
前記下側板及び前記上側板夫々は、前記壁体の前記一面又は前記壁体の前記他面に面一の端面を有することを特徴とする請求項１から６の何れか一項に記載の階段装置。
【請求項８】
壁体の一面に沿う下階側の直階段と前記壁体の他面に沿う上階側の直階段とを連結し、４枚以上の段板を備える廻り階段を構成するために、前記壁体の端面に取り付けられる側板において、
前記４枚以上の段板の段板の内、前記壁体の前記端面と前記壁体の前記一面との角部に配される一の段板の周縁の一部が挿入される切り欠き又は挿入溝と、前記４枚以上の段板の段板の内、前記一の段板の上階側に隣り合う他の段板の周縁の一部が挿入される切り欠き又は挿入溝とを有することを特徴とする側板。
【請求項９】
壁体の一面に沿う下階側の直階段と前記壁体の他面に沿う上階側の直階段とを連結し、４枚以上の段板を備える廻り階段を構成するために、前記壁体の端面に取り付けられる側板において、
前記４枚以上の段板の段板の内、前記壁体の前記端面と前記壁体の前記他面との角部に配される一の段板の周縁の一部が挿入される切り欠き又は挿入溝と、
前記４枚以上の段板の段板の内、前記一の段板の下階側に隣り合う他の段板の周縁の一部が挿入される切り欠き又は挿入溝と
を有することを特徴とする側板。
【請求項１０】
廻り階段を構成するために壁体に取り付けられ、一方向に長い側板において、
化粧された化粧面を有し、
長手方向の一端面に、前記長手方向に突出する凸部が設けられており、
化粧された一面と凹部とを有する板状の化粧部材が、前記化粧された一面が前記化粧面と面一になり、前記凸部が前記凹部に収容されるようにして、前記凸部及び前記一端面を覆うようにしてあることを特徴とする側板。
【請求項１１】
前記凹部は、前記化粧部材の他面と前記一端面に対向する端面とに亘って開口していることを特徴とする請求項１０に記載の側板。
【請求項１２】
前記凸部の厚み方向の長さは、前記凹部の前記厚み方向の長さより短いことを特徴とする請求項１０又は１１に記載の側板。
【請求項１３】
前記凸部の短手方向の長さは、前記凹部の前記短手方向の開口長さより短いことを特徴とする請求項１０から１２の何れか一項に記載の側板。
【請求項１４】
前記化粧部材の他面における短手方向の両端部夫々は化粧されていることを特徴とする請求項１０から１３の何れか一項に記載の側板。
【請求項１５】
前記一端面及び前記化粧部材の前記端面夫々は平坦であることを特徴とする請求項１０から１４の何れか一項に記載の側板。
【請求項１６】
前記凸部の厚み方向の長さは、前記凹部の前記厚み方向の長さより短く、
前記凸部の短手方向の長さは、前記凹部の前記短手方向の開口長さより短く、
前記化粧部材の前記他面における前記短手方向の両端部夫々は、前記化粧部材より薄い化粧板が貼り付けられることによって化粧されており、
前記一端面及び前記化粧部材の前記端面夫々は平坦であり、前記凸部の基部の前記短手方向の両端部に、前記短手方向に凹状のＲ面が設けられていることを特徴とする請求項１１に記載の側板。
【請求項１７】
壁体の一面に沿う下階側の直階段と、
前記壁体の他面に沿う上階側の直階段と、
前記下階側の直階段と前記上階側の直階段とを連結する廻り階段と
を備え、
前記壁体の前記一面、前記他面、及び端面に沿ってＵ字状に折り返す階段装置を組み立てる方法において、
４枚の段板と、夫々に２つの切り欠き又は挿入溝が設けられている下側板及び上側板とを準備し、
前記４枚の段板の内の第１の段板を、前記壁体の端面と前記壁体の前記一面との角部に配し、
前記第１の段板の配置後に、前記下側板の２つの切り欠き又は挿入溝の一方に前記第１の段板の周縁の一部が挿入されるようにして、前記下側板を前記壁体の前記端面に取り付け、
前記４枚の段板の内の第２の段板を、前記壁体の前記端面と前記壁体の前記他面との角部に配し、
前記第２の段板の配置後に、前記上側板の２つの切り欠き又は挿入溝の一方に前記第２の段板の周縁の一部が挿入されるようにして、前記上側板を前記壁体の前記端面に取り付け、
前記下側板の取り付け後に、前記４枚の段板の内の第３の段板の周縁の一部を、前記下側板の２つの切り欠き又は挿入溝の他方に挿入し、
前記上側板の取り付け後に、前記４枚の段板の内の第４の段板の周縁の一部を、前記上側板の２つの切り欠き又は挿入溝の他方に挿入することを特徴とする階段装置の組み立て方法。
【請求項１８】
前記下側板は、
該下側板の一面に沿う一方向の一方の側が開放されるようにして前記下側板の周縁に設けられている切り欠きと、
前記一方向に延びるようにして前記下側板の前記一面に設けられており、前記一方向の他方の端部が開放されている挿入溝と
を有し、
前記上側板は、
該上側板の一面に沿う一方向の一方の側が開放されるようにして前記上側板の周縁に設けられている切り欠きと、
前記一方向に延びるようにして前記上側板の前記一面に設けられており、前記一方向の前記一方の端部が開放されている挿入溝と
を有し、
前記下側板を前記壁体の前記端面に取り付ける場合、前記下側板の他面を前記壁体の前記端面に接触させ、前記下側板の前記切り欠きに前記第１の段板の周縁の一部が前記壁体の前記一面に近い側から挿入されるようにして、前記下側板を前記壁体の前記端面に取り付け、
前記上側板を前記壁体の前記端面に取り付ける場合、前記上側板の他面を前記壁体の前記端面に接触させ、前記上側板の前記切り欠きに前記第２の段板の周縁の一部が前記壁体の前記他面に近い側から挿入されるようにして、前記上側板を前記壁体の前記端面に取り付け、
前記下側板又は前記上側板の取り付け時に、前記上側板と前記下側板とが互いに上下方向に接触するようにし、
前記下側板の取り付け後に、前記４枚の段板の内の第３の段板の周縁の一部を、前記下側板の前記挿入溝に前記壁体の前記他面に近い側から挿入し、
前記上側板の取り付け後に、前記４枚の段板の内の第４の段板の周縁の一部を、前記上側板の前記挿入溝に前記壁体の前記他面に近い側から挿入することを特徴とする請求項１７に記載の階段装置の組み立て方法。
【請求項１９】
載置台と、前記下階側の直階段を構成する側板とを準備し、
該側板は、該側板の一面に沿う方向に延びるようにして該一面に設けられており、一方の端部が開放されている挿入溝を有し、
前記載置台及び前記上側板夫々は突出部を有し、
前記上側板の取り付け時に、前記上側板の前記突出部が前記壁体の前記端面に沿う横方向に前記壁体の前記他面を越えて突出するように前記上側板を前記壁体の前記端面に取り付け、
前記第２の段板の配置後、前記第２の段板が前記載置台に載置されるようにして、且つ、前記載置台の前記突出部が前記壁体の前記他面に沿う横方向に前記壁体の前記端面を越えて突出するようにして、前記載置台を前記壁体の前記他面に取り付け、
前記載置台又は前記上側板の取り付け時に、前記載置台及び前記上側板夫々の前記突出部が前記第２の段板の下側にて互いに上下方向に接触させ、
前記第１の段板の配置後、前記側板の他面を前記壁体の前記一面に接触させ、前記第１の段板の周縁の他の一部が前記側板の前記挿入溝に該挿入溝の開放されている端部から挿入されるようにして、前記側板を前記壁体の前記一面に取り付けることを特徴とする請求項１８に記載の階段装置の組み立て方法。
【請求項２０】
更に２枚の段板と、下補助側板と、上補助側板と、前記下階側の直階段を構成する側板とを準備し、
該側板は、該側板の一面に沿う方向に延びるようにして該一面に設けられており、一方の端部が開放されている挿入溝を有し、
前記側板の前記挿入溝の開放されている端部が前記壁体の前記端面の側に向き、前記側板の他面を前記壁体の前記一面に接触させるようにして、前記側板を前記壁体の前記一面に取り付け、
前記側板の取り付け後に、前記側板の前記挿入溝に、第５の段板の周縁の一部をから挿入し、
前記下補助側板は、該下補助側板の一面に沿う一方向の一側が開放されるようにして前記下補助側板の周縁に設けられている切り欠きを有し、
前記上補助側板は、
該上補助側板の一面に沿う一方向に延びるようして前記一面に設けられており、前記一方向の一方の端部が開放されている挿入溝と、
前記一方向の他方の側が開放されるようにして前記上補助側板の周縁に設けられている切り欠きと
を有し、
前記下補助側板、前記下側板、前記上補助側板、及び前記上側板夫々は突出部を有し、
前記下側板の取り付け時に、前記下側板の前記突出部が前記壁体の前記端面に沿う横方向に前記壁体の前記一面を越えて突出するように前記下側板を前記壁体の前記端面に取り付け、
前記第１の段板の配置後、前記下補助側板の他面が前記壁体の前記一面に接触し、前記下補助側板の前記突出部が前記壁体の前記一面に沿う横方向に前記壁体の前記端面を越えて突出し、前記下補助側板の前記切り欠きに前記第１の段板の周縁の他の一部が前記壁体の前記端面に近い側から挿入されるようにして、前記下補助側板を前記壁体の前記一面に取り付け、
前記下補助側板又は前記下側板の取り付け時に、前記下補助側板及び前記下側板夫々の前記突出部を前記第１の段板の下側にて互いに上下方向に接触させ、
前記上側板の取り付け時に、前記上側板の前記突出部が前記壁体の前記端面に沿う横方向に前記壁体の前記他面を越えて突出するように前記上側板を前記壁体の前記端面に取り付け、
前記第２の段板の配置後、前記上補助側板の他面が前記壁体の前記他面に接触し、前記上補助側板の前記突出部が前記壁体の前記他面に沿う横方向に前記壁体の前記端面を越えて突出し、前記上補助側板の前記切り欠きに前記第２の段板の周縁の他の一部が前記壁体の前記端面に近い側から挿入されるようにして、前記上補助側板を前記壁体の前記他面に取り付け、
前記上補助側板又は前記上側板の取り付け時に、前記上補助側板及び前記上側板夫々の前記突出部を前記第２の段板の下側にて互いに上下方向に接触させ、
前記上補助側板の取り付け後に、前記上補助側板の前記挿入溝に、第６の段板の周縁の一部を前記壁体の端面から遠い側から挿入することを特徴とする請求項１８に記載の階段装置の組み立て方法。
【請求項２１】
前記上側板の前記一面に凹部が設けられており、
前記一面の少なくとも前記凹部の内面を除く部分は化粧されており、
化粧された面を有する板状の化粧部材を準備し、
前記上側板を前記壁体の前記端面に取り付ける場合に、複数の固定用部材夫々が前記凹部の内面を貫通するようにして、前記複数の固定用部材で前記上側板を前記壁体に固定し、
前記上側板の固定後、前記化粧部材の前記化粧された面が前記上側板の前記一面と面一になるようにして、前記化粧部材で前記凹部の前記内面を覆うことを特徴とする請求項１８から２０の何れか一項に記載の階段装置の組み立て方法。
【請求項２２】
前記上側板は一方向に長く、
前記上側板の前記一面は化粧されており、
前記上側板の長手方向の一端面に、前記長手方向に突出する凸部が設けられており、
化粧された一面と凹部とを有する板状の化粧部材を準備し、
前記上側板を前記壁体の前記端面に取り付ける場合に、前記凸部が上向きに突出し、複数の固定用部材夫々が前記凸部を貫通するようにして、前記複数の固定用部材で前記上側板を前記壁体に固定し、
前記上側板の固定後、前記化粧部材の前記化粧された一面が前記上側板の前記一面と面一になり、前記凸部が前記凹部に収容されるようにして、前記化粧部材で前記凸部及び前記上側板の上端面を覆うことを特徴とする請求項１８から２０の何れか一項に記載の階段装置の組み立て方法。
【請求項２３】
前記下側板及び前記上側板夫々は位置決め用の端面を有し、
前記下側板及び前記上側板夫々の前記壁体の前記端面への取り付け時に、前記位置決め用の端面が前記壁体の前記他面又は前記壁体の前記一面に面一になるようにして、前記下側板及び前記上側板夫々を前記壁体の前記端面に取り付けることを特徴とする請求項１７から２２の何れか一項に記載の階段装置の組み立て方法。
【発明の詳細な説明】
【技術分野】
【０００１】
本発明は、Ｕ字状に折り返す階段装置、側板、及び階段装置の組み立て方法に関する。
【背景技術】
【０００２】
特許文献１には、柱を中心にＵ字状に折り返す階段装置が記載されている。特許文献１に記載の階段装置は、下階側の直階段、上階側の直階段、及び、下階側の直階段と上階側の直階段とを連結する廻り階段とを備えている。この廻り階段は、夫々の段鼻の向きが異なる複数枚の段板と、柱に取り付けられた側板とを備える。各段板の周縁の一部は、側板に設けられている切り欠きに挿入されている。
【先行技術文献】
【特許文献】
【０００３】
【特許文献１】特開平９−２７９７９７号公報
【発明の概要】
【発明が解決しようとする課題】
【０００４】
廻り階段が備える複数枚の段板の中には、柱の角部に配されるものがある。角部用の段板の形状は、他の段板の形状より複雑である。故に、柱に側板を取り付けた後で角部用の段板を側板に取り付ける場合、側板が段板に干渉して、段板を側板に取り付けられないことがある。
【０００５】
階段装置の組み立て現場では、側板が段板に干渉する場合、側板の段板に干渉する部分が手作業で切削される。階段の強度及び美観等に悪影響が出ないような側板の切削には熟練を要するので、階段装置の組み立ては容易ではない。
以上のような問題は、壁体の両面及び端面に沿ってＵ字状に折り返す階段装置にも起こり得る。
【０００６】
本発明は斯かる事情に鑑みてなされたものであり、その主たる目的は、容易に組み立てることができる階段装置、側板、及び階段装置の組み立て方法を提供することにある。
【課題を解決するための手段】
【０００７】
本実施の形態に係る階段装置は、壁体の両面及び端面に沿ってＵ字状に折り返す階段装置において、前記壁体の一面に沿う下階側の直階段と、前記壁体の他面に沿う上階側の直階段と、前記下階側の直階段と前記上階側の直階段とを連結する廻り階段とを備え、前記廻り階段は、前記壁体の前記端面と前記壁体の前記一面との角部に配されている第１の段板と、前記壁体の前記端面と前記壁体の前記他面との角部に配されている第２の段板と、前記第１の段板の上階側に隣り合う第３の段板と、該第３の段板の上階側且つ前記第２の段板の下階側に隣り合う第４の段板と、前記第１の段板及び前記第３の段板夫々の周縁の一部が挿入されている切り欠き又は挿入溝が設けられており、前記壁体の前記端面に取り付けられている下側板と、前記第２の段板及び前記第４の段板夫々の周縁の一部が挿入されている切り欠き又は挿入溝が設けられており、前記壁体の前記端面に取り付けられている上側板とを有することを特徴とする。
【０００８】
本実施の形態に係る階段装置は、前記下側板は、前記第１の段板の周縁の一部が挿入されており、前記壁体の前記一面に近い側が開放されるようにして前記下側板の周縁に設けられている切り欠きと、前記第３の段板の周縁の一部が挿入されており、前記下側板の一面に沿う横方向に延びるようにして該一面に設けられており、前記壁体の前記他面に近い側の端部が開放されている挿入溝とを有し、前記下側板の他面が前記壁体の前記端面に接触するようにして前記壁体の前記端面に取り付けられており、前記上側板は、前記第２の段板の周縁の一部が挿入されており、前記壁体の前記他面に近い側が開放されるようにして前記上側板の周縁に設けられている切り欠きと、前記第４の段板の周縁の一部が挿入されており、前記上側板の一面に沿う横方向に延びるようにして該一面に設けられており、前記壁体の前記他面に近い側の端部が開放されている挿入溝とを有し、前記下側板に上側から接触し、前記上側板の他面が前記壁体の前記端面に接触するようにして前記壁体の前記端面に取り付けられていることを特徴とする。
【０００９】
本実施の形態に係る階段装置は、前記廻り階段は、前記壁体の前記他面に取り付けられており、前記第２の段板が載置されている載置台を有し、該載置台及び前記上側板夫々は、前記第２の段板の下側にて互いに上下方向に接触している接触部を有し前記下階側の直階段は、一面が前記壁体の前記一面に接触するようにして前記壁体の前記一面に取り付けられている側板を備え、該側板は、前記第１の段板の周縁の他の一部が挿入されており、前記側板の他面に沿う横方向に延びるようにして該他面に設けられており、前記壁体の前記端面に近い側の端部が開放されている挿入溝を有することを特徴とする。
【００１０】
本実施の形態に係る階段装置は、前記廻り階段は、前記第１の段板の下階側に隣り合う第５の段板と、前記第２の段板の上階側に隣り合う第６の段板と、一面が前記壁体の前記一面に接触するようにして前記壁体の前記一面に取り付けられている下補助側板と、一面が前記壁体の前記他面に接触するようにして前記壁体の前記他面に取り付けられている上補助側板とを有し、該上補助側板及び前記上側板夫々は、前記第２の段板の下側にて互いに上下方向に接触している接触部を有し、前記下補助側板及び前記下側板夫々は、前記第１の段板の下側にて互いに上下方向に接触している接触部を有し、前記下補助側板は、前記第１の段板の周縁の他の一部が挿入されており、前記壁体の前記端面に近い側が開放されるようにして前記下補助側板の周縁に設けられている切り欠きを有し、前記上補助側板は、前記第２の段板の周縁の他の一部が挿入されており、前記壁体の前記端面に近い側が開放されるようにして前記上補助側板の周縁に設けられている切り欠きと、前記第６の段板の周縁の一部が挿入されており、前記上補助側板の他面に沿う横方向に延びるようにして該他面に設けられており、前記壁体の前記端面から遠い側の端部が開放されている挿入溝とを有し、前記下階側の直階段は、一面が前記壁体の前記一面に接触するようにして前記壁体の前記一面に取り付けられている側板を備え、該側板は、前記第５の段板の周縁の一部が挿入されており、前記側板の他面に沿う横方向に延びるようにして該他面に設けられており、前記壁体の前記端面に近い側の端部が開放されている挿入溝を有し、前記下補助側板に下側から接触していることを特徴とする。
【００１１】
本実施の形態に係る階段装置は、前記上側板の前記一面に凹部が設けられており、前記一面の少なくとも前記凹部の内面を除く部分は化粧されており、夫々が前記凹部の前記内面を貫通している複数の固定用部材によって、前記上側板が前記壁体に固定されており、化粧された面を有する板状の化粧部材が、前記化粧された面が前記上側板の前記一面と面一になるようにして前記凹部の前記内面を覆っていることを特徴とする。
【００１２】
本実施の形態に係る階段装置は、前記上側板は上下方向に長く、前記上側板の前記一面は化粧されており、前記上側板の上端面に、上向きに突出する凸部が設けられており、夫々が前記凸部を貫通している複数の固定用部材によって、前記上側板が前記壁体に固定されており、化粧された一面と凹部とを有する板状の化粧部材が、前記化粧された一面が前記上側板の前記一面と面一になり、前記凸部が前記凹部に収容されるようにして、前記凸部及び前記上端面を覆っていることを特徴とする。
【００１３】
本実施の形態に係る階段装置は、前記下側板及び前記上側板夫々は、前記壁体の前記一面又は前記壁体の前記他面に面一の端面を有することを特徴とする。
【００１４】
本実施の形態に係る側板は、壁体の一面に沿う下階側の直階段と前記壁体の他面に沿う上階側の直階段とを連結し、４枚以上の段板を備える廻り階段を構成するために、前記壁体の端面に取り付けられる側板において、前記４枚以上の段板の段板の内、前記壁体の前記端面と前記壁体の前記一面との角部に配される一の段板の周縁の一部が挿入される切り欠き又は挿入溝と、前記４枚以上の段板の段板の内、前記一の段板の上階側に隣り合う他の段板の周縁の一部が挿入される切り欠き又は挿入溝とを有することを特徴とする。
【００１５】
本実施の形態に係る側板は、壁体の一面に沿う下階側の直階段と前記壁体の他面に沿う上階側の直階段とを連結し、４枚以上の段板を備える廻り階段を構成するために、前記壁体の端面に取り付けられる側板において、前記４枚以上の段板の段板の内、前記壁体の前記端面と前記壁体の前記他面との角部に配される一の段板の周縁の一部が挿入される切り欠き又は挿入溝と、前記４枚以上の段板の段板の内、前記一の段板の下階側に隣り合う他の段板の周縁の一部が挿入される切り欠き又は挿入溝とを有することを特徴とする。
【００１６】
本実施の形態に係る側板は、廻り階段を構成するために壁体に取り付けられ、一方向に長い側板において、化粧された化粧面を有し、長手方向の一端面に、前記長手方向に突出する凸部が設けられており、化粧された一面と凹部とを有する板状の化粧部材が、前記化粧された一面が前記化粧面と面一になり、前記凸部が前記凹部に収容されるようにして、前記凸部及び前記一端面を覆うようにしてあることを特徴とする。
【００１７】
本実施の形態に係る側板は、前記凹部は、前記化粧部材の他面と前記一端面に対向する端面とに亘って開口していることを特徴とする。
【００１８】
本実施の形態に係る側板は、前記凸部の厚み方向の長さは、前記凹部の前記厚み方向の長さより短いことを特徴とする。
【００１９】
本実施の形態に係る側板は、前記凸部の短手方向の長さは、前記凹部の前記短手方向の開口長さより短いことを特徴とする。
【００２０】
本実施の形態に係る側板は、前記化粧部材の他面における短手方向の両端部夫々は化粧されていることを特徴とする。
【００２１】
本実施の形態に係る側板は、前記一端面及び前記化粧部材の前記端面夫々は平坦であることを特徴とする。
【００２２】
本実施の形態に係る側板は、前記凸部の厚み方向の長さは、前記凹部の前記厚み方向の長さより短く、前記凸部の短手方向の長さは、前記凹部の前記短手方向の開口長さより短く、前記化粧部材の前記他面における前記短手方向の両端部夫々は、前記化粧部材より薄い化粧板が貼り付けられることによって化粧されており、前記一端面及び前記化粧部材の前記端面夫々は平坦であり、前記凸部の基部の前記短手方向の両端部に、前記短手方向に凹状のＲ面が設けられていることを特徴とする。
【００２３】
本実施の形態に係る階段装置の組み立て方法は、壁体の一面に沿う下階側の直階段と、前記壁体の他面に沿う上階側の直階段と、前記下階側の直階段と前記上階側の直階段とを連結する廻り階段とを備え、前記壁体の前記一面、前記他面、及び端面に沿ってＵ字状に折り返す階段装置を組み立てる方法において、４枚の段板と、夫々に２つの切り欠き又は挿入溝が設けられている下側板及び上側板とを準備し、前記４枚の段板の内の第１の段板を、前記壁体の端面と前記壁体の前記一面との角部に配し、前記第１の段板の配置後に、前記下側板の２つの切り欠き又は挿入溝の一方に前記第１の段板の周縁の一部が挿入されるようにして、前記下側板を前記壁体の前記端面に取り付け、前記４枚の段板の内の第２の段板を、前記壁体の前記端面と前記壁体の前記他面との角部に配し、前記第２の段板の配置後に、前記上側板の２つの切り欠き又は挿入溝の一方に前記第２の段板の周縁の一部が挿入されるようにして、前記上側板を前記壁体の前記端面に取り付け、前記下側板の取り付け後に、前記４枚の段板の内の第３の段板の周縁の一部を、前記下側板の２つの切り欠き又は挿入溝の他方に挿入し、前記上側板の取り付け後に、前記４枚の段板の内の第４の段板の周縁の一部を、前記上側板の２つの切り欠き又は挿入溝の他方に挿入することを特徴とする。
【００２４】
本実施の形態に係る階段装置の組み立て方法は、前記下側板は、該下側板の一面に沿う一方向の一方の側が開放されるようにして前記下側板の周縁に設けられている切り欠きと、前記一方向に延びるようにして前記下側板の前記一面に設けられており、前記一方向の他方の端部が開放されている挿入溝とを有し、前記上側板は、該上側板の一面に沿う一方向の一方の側が開放されるようにして前記上側板の周縁に設けられている切り欠きと、前記一方向に延びるようにして前記上側板の前記一面に設けられており、前記一方向の前記一方の端部が開放されている挿入溝とを有し、前記下側板を前記壁体の前記端面に取り付ける場合、前記下側板の他面を前記壁体の前記端面に接触させ、前記下側板の前記切り欠きに前記第１の段板の周縁の一部が前記壁体の前記一面に近い側から挿入されるようにして、前記下側板を前記壁体の前記端面に取り付け、前記上側板を前記壁体の前記端面に取り付ける場合、前記上側板の他面を前記壁体の前記端面に接触させ、前記上側板の前記切り欠きに前記第２の段板の周縁の一部が前記壁体の前記他面に近い側から挿入されるようにして、前記上側板を前記壁体の前記端面に取り付け、前記下側板又は前記上側板の取り付け時に、前記上側板と前記下側板とが互いに上下方向に接触するようにし、前記下側板の取り付け後に、前記４枚の段板の内の第３の段板の周縁の一部を、前記下側板の前記挿入溝に前記壁体の前記他面に近い側から挿入し、前記上側板の取り付け後に、前記４枚の段板の内の第４の段板の周縁の一部を、前記上側板の前記挿入溝に前記壁体の前記他面に近い側から挿入することを特徴とする。
【００２５】
本実施の形態に係る階段装置の組み立て方法は、載置台と、前記下階側の直階段を構成する側板とを準備し、該側板は、該側板の一面に沿う方向に延びるようにして該一面に設けられており、一方の端部が開放されている挿入溝を有し、前記載置台及び前記上側板夫々は突出部を有し、前記上側板の取り付け時に、前記上側板の前記突出部が前記壁体の前記端面に沿う横方向に前記壁体の前記他面を越えて突出するように前記上側板を前記壁体の前記端面に取り付け、前記第２の段板の配置後、前記第２の段板が前記載置台に載置されるようにして、且つ、前記載置台の前記突出部が前記壁体の前記他面に沿う横方向に前記壁体の前記端面を越えて突出するようにして、前記載置台を前記壁体の前記他面に取り付け、前記載置台又は前記上側板の取り付け時に、前記載置台及び前記上側板夫々の前記突出部が前記第２の段板の下側にて互いに上下方向に接触させ、前記第１の段板の配置後、前記側板の他面を前記壁体の前記一面に接触させ、前記第１の段板の周縁の他の一部が前記側板の前記挿入溝に該挿入溝の開放されている端部から挿入されるようにして、前記側板を前記壁体の前記一面に取り付けることを特徴とする。
【００２６】
本実施の形態に係る階段装置の組み立て方法は、更に２枚の段板と、下補助側板と、上補助側板と、前記下階側の直階段を構成する側板とを準備し、該側板は、該側板の一面に沿う方向に延びるようにして該一面に設けられており、一方の端部が開放されている挿入溝を有し、前記側板の前記挿入溝の開放されている端部が前記壁体の前記端面の側に向き、前記側板の他面を前記壁体の前記一面に接触させるようにして、前記側板を前記壁体の前記一面に取り付け、前記側板の取り付け後に、前記側板の前記挿入溝に、第５の段板の周縁の一部をから挿入し、前記下補助側板は、該下補助側板の一面に沿う一方向の一側が開放されるようにして前記下補助側板の周縁に設けられている切り欠きを有し、前記上補助側板は、該上補助側板の一面に沿う一方向に延びるようして前記一面に設けられており、前記一方向の一方の端部が開放されている挿入溝と、前記一方向の他方の側が開放されるようにして前記上補助側板の周縁に設けられている切り欠きとを有し、前記下補助側板、前記下側板、前記上補助側板、及び前記上側板夫々は突出部を有し、前記下側板の取り付け時に、前記下側板の前記突出部が前記壁体の前記端面に沿う横方向に前記壁体の前記一面を越えて突出するように前記下側板を前記壁体の前記端面に取り付け、前記第１の段板の配置後、前記下補助側板の他面が前記壁体の前記一面に接触し、前記下補助側板の前記突出部が前記壁体の前記一面に沿う横方向に前記壁体の前記端面を越えて突出し、前記下補助側板の前記切り欠きに前記第１の段板の周縁の他の一部が前記壁体の前記端面に近い側から挿入されるようにして、前記下補助側板を前記壁体の前記一面に取り付け、前記下補助側板又は前記下側板の取り付け時に、前記下補助側板及び前記下側板夫々の前記突出部を前記第１の段板の下側にて互いに上下方向に接触させ、前記上側板の取り付け時に、前記上側板の前記突出部が前記壁体の前記端面に沿う横方向に前記壁体の前記他面を越えて突出するように前記上側板を前記壁体の前記端面に取り付け、前記第２の段板の配置後、前記上補助側板の他面が前記壁体の前記他面に接触し、前記上補助側板の前記突出部が前記壁体の前記他面に沿う横方向に前記壁体の前記端面を越えて突出し、前記上補助側板の前記切り欠きに前記第２の段板の周縁の他の一部が前記壁体の前記端面に近い側から挿入されるようにして、前記上補助側板を前記壁体の前記他面に取り付け、前記上補助側板又は前記上側板の取り付け時に、前記上補助側板及び前記上側板夫々の前記突出部を前記第２の段板の下側にて互いに上下方向に接触させ、前記上補助側板の取り付け後に、前記上補助側板の前記挿入溝に、第６の段板の周縁の一部を前記壁体の端面から遠い側から挿入することを特徴とする。
【００２７】
本実施の形態に係る階段装置の組み立て方法は、前記上側板の前記一面に凹部が設けられており、前記一面の少なくとも前記凹部の内面を除く部分は化粧されており、化粧された面を有する板状の化粧部材を準備し、前記上側板を前記壁体の前記端面に取り付ける場合に、複数の固定用部材夫々が前記凹部の内面を貫通するようにして、前記複数の固定用部材で前記上側板を前記壁体に固定し、前記上側板の固定後、前記化粧部材の前記化粧された面が前記上側板の前記一面と面一になるようにして、前記化粧部材で前記凹部の前記内面を覆うことを特徴とする。
【００２８】
本実施の形態に係る階段装置の組み立て方法は、前記上側板は一方向に長く、前記上側板の前記一面は化粧されており、前記上側板の長手方向の一端面に、前記長手方向に突出する凸部が設けられており、化粧された一面と凹部とを有する板状の化粧部材を準備し、前記上側板を前記壁体の前記端面に取り付ける場合に、前記凸部が上向きに突出し、複数の固定用部材夫々が前記凸部を貫通するようにして、前記複数の固定用部材で前記上側板を前記壁体に固定し、前記上側板の固定後、前記化粧部材の前記化粧された一面が前記上側板の前記一面と面一になり、前記凸部が前記凹部に収容されるようにして、前記化粧部材で前記凸部及び前記上側板の上端面を覆うことを特徴とする。
【００２９】
本実施の形態に係る階段装置の組み立て方法は、前記下側板及び前記上側板夫々は位置決め用の端面を有し、前記下側板及び前記上側板夫々の前記壁体の前記端面への取り付け時に、前記位置決め用の端面が前記壁体の前記他面又は前記壁体の前記一面に面一になるようにして、前記下側板及び前記上側板夫々を前記壁体の前記端面に取り付けることを特徴とする。
【００３０】
本実施の形態にあっては、第１の段板及び第２の段板が壁体の２つの角部に配された後で、第１の段板及び第２の段板を支持する下側板及び上側板が壁体の端面に取り付けられる。
即ち、壁体の端面に下側板を取り付ける前に壁体の角部に第１の段板が配されるので、第１の段板の配置時に下側板が第１の段板に干渉することはない。同様に、壁体の端面に上側板を取り付ける前に壁体の角部に第２の段板が配されるので、第２の段板の配置時に上側板が第２の段板に干渉することはない。
第３の段板及び第４の段板は何れも壁体の角部に配される段板ではないので、特段の問題なく、壁体の端面に取り付けられた下側板及び上側板の切り欠き又は挿入溝に挿入することができる。
以上の結果、階段装置の組み立て現場において、側板の段板に干渉する部分を手作業で切削する必要がないので、階段装置を容易に組み立てることができる。
【００３１】
下側板及び第１の段板は下階側に、上側板及び第２の段板は上階側に配される。故に、下側板及び第１の段板と上側板及び第２の段板とが互いに干渉する虞はない。従って、第１の段板の配置及び第２の段板の配置の何れが先に実行されてもよい。
また、第１〜第４の段板は段違いに配されるので、第１〜第４の段板が互いに干渉する虞はない。従って、第３の段板の配置及び第４の段板の配置の何れが先に実行されてもよい。
以上の結果、階段装置の組み立て手順の自由度は高い。
【００３２】
下側板は第１の段板及び第３の段板を支持し、上側板は第２の段板及び第４の段板を支持する。つまり、４枚の段板夫々に個別の側板を用いる必要がないので、部品点数の増大が抑制される。また、壁体の端面に取り付けられる側板の枚数は２枚なので、作業工数の増大が抑制される。
【００３３】
下階側の直階段は壁体の一面に沿い、上階側の直階段は壁体の他面に沿う。以下では、壁体の一面／他面を下階側の壁面／上階側の壁面という。また、壁体の端面に沿う横方向の下階側の壁面に近い側／上階側の壁面に近い側を、左側／右側といい、下階側の壁面（及び上階側の壁面）に沿う横方向の壁体の端面から遠い側／壁体の端面に近い側を、前側／後側という。
第１の段板は、壁体の端面と下階側の壁面との角部に配される。第２の段板は、壁体の端面と上階側の壁面との角部に配される。
【００３４】
本実施の形態にあっては、下側板は、まず、壁体の端面に接触するために第１の段板の右側に配され、次に、下側板の切り欠きに第１の段板が左側から挿入されるようにして、壁体の端面に取り付けられる。上側板は、まず、壁体の端面に接触するために第２の段板の左側に配され、次に、上側板の切り欠きに第２の段板が右側から挿入されるようにして、壁体の端面に取り付けられる。
下側板及び上側板夫々は、互いに上下方向に接触するように壁体の端面に取り付けられる。故に、下側板及び上側板の一方の位置決めを正確に行なえば、一方に他方を接触させることによって、他方の上下方向の正確な位置決めを容易に行なうことができる。
【００３５】
第３の段板及び第４の段板は何れも壁体の角部に配される段板ではないので、特段の問題なく、壁体の端面に取り付けられた下側板及び上側板の挿入溝に右側から挿入することができる。
下側板は、第３の段板が挿入される挿入溝を有し、第３の段板が挿入される切り欠きを有していないので、下側板の強度は大きい。同様に、上側板は、第４の段板が挿入される挿入溝を有し、第４の段板が挿入される切り欠きを有していないので、上側板の強度は大きい。
【００３６】
本実施の形態にあっては、廻り階段が４枚の段板を備える。
第１の段板の周縁の内、壁体の端面に沿う部分は下側板によって支持され、下階側の壁面に沿う部分は側板によって支持される。
下側板と共に第１の段板を支持する側板は、下階側の直階段を構成するものなので、部材点数を削減することができる。
側板は第１の段板の配置後に取り付けられるので、第１の段板に干渉しない。また、側板は下階側の壁面に取り付けられるので、第２の段板に干渉しない。
下側板及び側板の何れが先に取り付けられてもよいので、階段装置の組み立て手順の自由度は高い。
【００３７】
第２の段板の周縁の内、壁体の端面に沿う部分は上側板によって支持され、上階側の壁面に沿う部分は載置台によって支持される。
載置台は第２の段板の配置後に取り付けられるので、第２の段板に干渉しない。また、載置台は上階側の壁面に取り付けられるので、第１の段板に干渉しない。
上側板及び載置台の何れが先に取り付けられてもよいので、階段装置の組み立て手順の自由度は高い。
【００３８】
上側板及び載置台の一方が他方よりも先に壁体に取り付けられる場合、正確に位置決めされている一方の突出部（接触部）に他方の突出部（接触部）を上側又は下側から接触させれば、他方の上下方向の正確な位置決めを容易に行なうことができる。
上側板及び載置台夫々の突出部（接触部）は、第２の段板によって上側から目隠しされる。
【００３９】
本実施の形態にあっては、廻り階段が６枚の段板を備える。
第１の段板の周縁の内、壁体の端面に沿う部分は下側板によって支持され、下階側の壁面に沿う部分は下補助側板によって支持される。
下補助側板は第１の段板の配置後に取り付けられるので、第１の段板に干渉しない。また、下補助側板は下階側の壁面に取り付けられるので、第２の段板に干渉しない。
下側板及び下補助側板の何れが先に取り付けられてもよいので、階段装置の組み立て手順の自由度は高い。
【００４０】
下側板及び下補助側板の一方が他方よりも先に壁体に取り付けられる場合、正確に位置決めされている一方の突出部（接触部）に他方の突出部（接触部）を下側又は下側から接触させれば、他方の上下方向の正確な位置決めを容易に行なうことができる。
下側板及び下補助側板夫々の突出部（接触部）は、第１の段板によって上側から目隠しされる。
【００４１】
第２の段板の周縁の内、壁体の端面に沿う部分は上側板によって支持され、上階側の壁面に沿う部分は上補助側板によって支持される。
上補助側板は第２の段板の配置後に取り付けられるので、第２の段板に干渉しない。また、上補助側板は上階側の壁面に取り付けられるので、第１の段板に干渉しない。
上側板及び上補助側板の何れが先に取り付けられてもよいので、階段装置の組み立て手順の自由度は高い。
【００４２】
上側板及び上補助側板の一方が他方よりも先に壁体に取り付けられる場合、正確に位置決めされている一方の突出部（接触部）に他方の突出部（接触部）を上側又は下側から接触させれば、他方の上下方向の正確な位置決めを容易に行なうことができる。
上側板及び上補助側板夫々の突出部（接触部）は、第２の段板によって上側から目隠しされる。
【００４３】
第５の段板は角部に配される段板ではないので、特段の問題なく、下階側の壁面に取り付けられた側板の挿入溝に後側から挿入することができる。同様に、第６の段板は角部に配される段板ではないので、特段の問題なく、上階側の壁面に取り付けられた上補助側板の挿入溝に前側から挿入することができる。
第５の段板は、下階側の直階段を構成する側板に支持され、第６の段板は、上補助側板に支持されるので、部材点数を削減することができる。
第１〜第６の段板は段違いに配されるので、第１〜第６の段板が互いに干渉する虞はない。従って、第３〜第６の段板夫々の配置は、何れを先に実行してもよいので、階段装置の組み立て手順の自由度は高い。
【００４４】
本実施の形態にあっては、固定用部材と、固定用部材を用いて上側板を壁体に固定するための凹部とが化粧部材によって目隠しされるので、階段装置の美観を向上させることができる。
化粧部材の一面は化粧されており、上側板の化粧されている一面と面一になる。また、複数の固定用部材に応じた大きな凹部の内面が化粧部材で覆われるので、１つの固定用部材に応じた小さな凹部の内面が化粧部材で覆われる場合よりも、化粧部材が用いられていることによる違和感を却って低減することができる。
【００４５】
本実施の形態にあっては、固定用部材と、固定用部材を用いて上側板を壁体に固定するための凸部と、上側板の上端面（凸部が設けられている端面）とが、化粧部材によって目隠しされるので、階段装置の美観を向上させることができる。
化粧部材の一面は化粧されており、上側板の化粧されている一面と面一になる。また、複数の固定用部材に応じた大きな凸部が、上側板の上端面と共に化粧部材で覆われるので、１つの固定用部材に応じた小さな凹部の内面が化粧部材で覆われる場合よりも、化粧部材が用いられていることによる違和感を却って低減することができる。
【００４６】
本実施の形態にあっては、化粧部材の凹部が化粧部材の他面及び端面に開口している。化粧部材の他面は壁体に対向し、化粧部材の端面は上側板の上端面に対向する。故に、化粧部材の凹部を目隠しすることができる。
【００４７】
本実施の形態にあっては、上側板の凸部と化粧部材の凹部の内面とが上側板の厚み方向（即ち前後方向）に離隔する。何故ならば、凸部の前後方向の長さが凹部の前後方向の長さより短いからである。故に、上側板の凸部又は化粧部材の凹部に前後方向の寸法誤差が生じていたとしても、上側板の化粧された一面と化粧部材の化粧された一面とを面一にすることができる。
【００４８】
本実施の形態にあっては、上側板の凸部と化粧部材の凹部の内面とが上側板の短手方向（即ち左右方向）に離隔する。何故ならば、凸部の左右方向の長さが凹部の左右方向の開口長さより短いからである。故に、上側板の凸部又は化粧部材の凹部に左右方向の寸法誤差が生じていたとしても、上側板の左右方向の両端面と化粧部材の左右方向の両端面とを面一にすることができる。
【００４９】
本実施の形態にあっては、化粧部材の他面における左右方向の両端部夫々が化粧されている。
ところで、階段装置の構成によっては、化粧部材の左右方向の両端部の内、何れか一方が壁体から突出して、化粧部材の他面が人目に触れる場合がある。しかしながら、何れの端部が人目に触れたとしても、そこは化粧されているので、美観を損なう虞はない。
【００５０】
本実施の形態にあっては、上側板の上端面及び化粧部材の端面夫々は平坦である。故に、上側板の上端面と化粧部材の端面とを隙間なく接触させることが容易である。従って、上側板と化粧部材との間に無用な隙間が形成されることを防止することができる。
【００５１】
本実施の形態にあっては、上側板の凸部と化粧部材の凹部の内面とが上側板の前後方向及び左右方向夫々に離隔する。何故ならば、凸部の前後方向の長さが凹部の前後方向の長さより短く、凸部の左右方向の長さが凹部の左右方向の開口長さより短いからである。故に、上側板の凸部又は化粧部材の凹部に寸法誤差が生じていたとしても、上側板の化粧された一面と化粧部材の化粧された一面とを面一にすることができ、上側板の左右方向の両端面と化粧部材の左右方向の両端面とを面一にすることができる。
【００５２】
また、化粧部材の他面における左右方向の両端部夫々が、薄い化粧板によって化粧されている。
ところで、階段装置の構成によっては、化粧部材の左右方向の両端部の内、何れか一方が壁体から突出して、化粧部材の他面が人目に触れる場合がある。しかしながら、何れの端部が人目に触れたとしても、そこは化粧板によって化粧されているので、美観を損なう虞はない。
化粧板は化粧部材の左右方向の両端部夫々に貼り付けられているので、化粧板を含む化粧部材の左端部の厚みと、化粧板を含む化粧部材の右端部の厚みとを、互いに等しくすることができる。
【００５３】
上側板の上端面及び化粧部材の端面夫々は平坦である。故に、上側板の上端面と化粧部材の端面とを隙間なく接触させることが容易である。従って、上側板と化粧部材との間に無用な隙間が形成されることを防止することができる。
上側板に凸部を設ける場合、例えばエンドミルを用いて、上側板となすべき板材を切削することによって、上側板の上端面を平坦にしつつ上側板の上端面に凸部を設けることができる。このとき、凸部の基部に凹状のＲ面が形成される。
【００５４】
本実施の形態にあっては、位置決め用の端面と下階側の壁面又は上階側の壁面とが面一になるようにして、下側板及び上側板夫々が壁体の端面に取り付けられる。故に、下側板及び上側板夫々の左右方向の正確な位置決めを容易に行なうことができる。
【発明の効果】
【００５５】
本実施の形態の階段装置、側板、及び階段装置の組み立て方法による場合、階段装置を容易に組み立てることができる。
【図面の簡単な説明】
【００５６】
【図１】実施の形態１に係る階段装置を示す平面図である。
【図２】階段装置が備える各種の側板を示す側面図である。
【図３】階段装置を示す拡大平面図である。
【図４】階段装置を示す背面図である。
【図５】階段装置が備える下階側の直階段の側板及び廻り階段の側板を示す断面図である。
【図６】階段装置が備える上階側の直階段の側板及び廻り階段の側板を示す断面図である。
【図７】階段装置が備える上側板及び載置台を示す斜視図である。
【図８】廻り階段の段板を壁体の角部に配置する手順を説明するための平面図である。
【図９】下階側の直階段の側板を壁体に取り付ける手順を説明するための側面図である。
【図１０】載置台及び上階側の直階段の側板を壁体に取り付ける手順を説明するための側面図である。
【図１１】上側板の分解斜視図である。
【図１２】実施の形態２に係る階段装置を示す背面図である。
【図１３】実施の形態３に係る階段装置を示す平面図である。
【図１４】階段装置を示す背面図である。
【図１５】階段装置が備える各種の側板を示す側面図である。
【図１６】下補助側板及び下階側の直階段の側板を壁体に取り付ける手順を説明するための側面図である。
【図１７】上補助側板及び上階側の直階段の側板を壁体に取り付ける手順を説明するための側面図である。
【図１８】実施の形態４に係る階段装置が備える上側板を示す斜視図である。
【図１９】上側板の分解斜視図である。
【図２０】上側板の分解背面図である。
【図２１】上側板の分解側面図である。
【発明を実施するための形態】
【００５７】
以下、本発明を、その実施の形態を示す図面に基づいて詳述する。
【００５８】
実施の形態  １．
図１は、実施の形態１に係る階段装置を示す平面図である。
図中１は階段装置である。階段装置１は、壁体２の両面及び端面２１に沿ってＵ字状に折り返し、右回りに上がるように設けられている。以下では、壁体２の両面の内、図１中の左側の面（端面２１に向かって右側の面）を左面２２といい、図１中の右側の面を右面２３という。また、端面２１に沿う横方向の左面２２に近い側／右面２３に近い側を左側／右側といい、左面２２（及び右面２３）に沿う横方向の端面２１から遠い側／端面２１に近い側を前側／後側という。
左面２２、端面２１、及び右面２３は、階段装置１の内周面を構成している。左面２２は下階側の壁面であり、右面２３は上階側の壁面である。
【００５９】
図中２４〜２６は、壁体２を囲む躯体が有する３枚の壁面である。壁面２４は、壁体２の端面２１に対向している。壁面２５は壁体２の左面２２に対向しており、壁面２４に連続している。壁面２６は壁体２の右面２３に対向しており、壁面２４に連続している。壁面２５，２４，２６は、階段装置１の外周面を構成している。
【００６０】
階段装置１は、下階側の直階段３、上階側の直階段４、及び廻り階段５を備える。
下階側の直階段３は、内周側の側板３１、外周側の側板３２、Ｎ枚の段板３３，３３，…、及びＮ枚の蹴込板３４，３４，…を備える。ただし、ＮはＮ≧２の整数である。
【００６１】
側板３１は、側板３１の一面が壁体２の左面２２に接触するようにして、壁体２の左面２２に取り付けられている。以下では側板３１の一面／他面を側板３１の裏面／表面という。
側板３２は、側板３２の一面が壁面２５に接触し、側板３２の他面が側板３１に対向するようにして、壁面２５に取り付けられている。以下では側板３２の他面を側板３２の表面という。
【００６２】
図２は、階段装置１が備える各種の側板を示す側面図である。図２には、各種の側板の表面が示されている。図２に示すハッチングが付されている部分は溝（後述する横溝３１１及び縦溝３１２等）である。
図１及び図２に示す側板３１は、下階側から上階側（前下側から後上側）に傾斜するように延びる。側板３１の後端面３１ａは、壁体２の端面２１に面一である。
側板３１の表面には横溝３１１及び縦溝３１２が設けられている。横溝３１１は横方向に延びる。横溝３１１の後端部は開放されている。縦溝３１２は縦方向（上下方向）に延びる。縦溝３１２の下端部は開放されている。縦溝３１２の上端部は、横溝３１１の前端部近傍に連続している。側板３１には各Ｎ本の横溝３１１，３１１，…及び縦溝３１２，３１２，…が階段状に設けられている。
側板３１と同様に、側板３２の表面にも各Ｎ本の横溝及び縦溝が設けられている。
側板３１のＮ本の横溝３１１，３１１，…と側板３２のＮ本の横溝とは一対一対応であり、横溝３１１の床面からの高さと、側板３２における横溝３１１に対応する横溝の床面からの高さとは同じである。
【００６３】
各段板３３は、一方向に長い矩形状をなす。段板３３の長手方向の両端部は、段板３３の一面が上向き且つ水平になるようにして、側板３１，３２に取り付けられている。段板３３の内周側の端部は、側板３１の横溝３１１に挿入されている。段板３３の外周側の端部は、側板３２の横溝に挿入されている。
【００６４】
各蹴込板３４は、一方向に長い矩形状をなす。蹴込板３４，３４，…の内、最下段の蹴込板３４を除く各蹴込板３４は、隣り合う２枚の段板３３，３３に亘る。各蹴込板３４は、蹴込板３４の長手方向が側板３１，３２の対向方向に沿い、上階側の段板３３から下階側の段板３３へ垂下している。蹴込板３４の上端部は、段板３３の下面に設けられた溝に挿入されて、上階側の段板３３の下面に取り付けられている。蹴込板３４の下端部は、下階側の段板３３の後端面に取り付けられている。蹴込板３４の内周側の端部は、側板３１の縦溝３１２に挿入されている。蹴込板３４の外周側の端部は、側板３２の縦溝に挿入されている。
最下段の蹴込板３４と他の蹴込板３４との差異は、最下段の蹴込板３４が最下段の段板３３と床面とに亘ることである。
【００６５】
側板３１の横溝３１１内部には、水平な上面と、後側ほど下がるように傾斜する下面とが設けられている。段板３３の上面は、横溝３１１内部の上面に接触している。段板３３の下面と横溝３１１内部の下面との間には、図示しないクサビ状の部材が嵌め込まれている。
【００６６】
上階側の直階段４は、内周側の側板４１、外周側の側板４２、Ｍ枚の段板４３，４３，…、及びＭ枚の蹴込板４４，４４，…を備える。ただし、ＭはＭ≧２の整数である。
上階側の直階段４の構成は、下階側の直階段３の構成と略同様である。上階側の直階段４の側板４１，４２、段板４３、及び蹴込板４４は、下階側の直階段３の側板３１，３２、段板３３、及び蹴込板３４と略同様である。
【００６７】
側板４１は、側板４１の一面が壁体２の右面２３に接触するようにして、壁体２の右面２３に取り付けられている。以下では側板４１の一面／他面を側板４１の裏面／表面という。側板４１の表面は図２に示されている。
側板４１は、下階側から上階側（後下側から前上側）に傾斜するように延びる。側板４１の長手方向の下端部には下端面４１ａ及び後端面４１ｂが設けられている。下端面４１ａは床面に平行であり、後端面４１ｂは壁体２の端面２１に面一であり、下端面４１ａ及び後端面４１ｂは連続している。
【００６８】
側板４１の表面には各Ｍ本の横溝４１１，４１１，…及び縦溝４１２，４１２，…が設けられている。横溝４１１及び縦溝４１２は下階側の直階段３の横溝３１１及び縦溝３１２と略同様であるが、横溝４１１は前端部が開放されており、縦溝４１２の上端部は横溝４１１の後端部近傍に連続している。
側板４２は、側板４２の一面が壁面２６に接触し、側板４２の他面が側板４１に対向するようにして、壁面２６に取り付けられている。以下では側板４２の他面を側板４２の表面という。側板４２と同様に、側板４２の表面にも各Ｍ本の横溝及び縦溝が設けられている。
【００６９】
各段板４３は側板４１，４２に取り付けられている。段板４３の内周側の端部は横溝４１１に挿入されている。段板４３の外周側の端部は、側板４２の横溝に挿入されている。
蹴込板４４，４４，…の内、最下段の蹴込板４４を除く各蹴込板４４は、隣り合う２枚の段板４３，４３に亘る。最下段の蹴込板４４は、最下段の段板４３と、後述する段板５１４とに亘る。蹴込板４４の内周側の端部は、側板４１の縦溝４１２に挿入されている。蹴込板４４の外周側の端部は、側板４２の縦溝に挿入されている。
【００７０】
図３は、階段装置１を示す拡大平面図である。図４は、階段装置１を示す背面図である。図３及び図４は、壁体２の端面２１の近傍における階段装置１を示している。図４には、直階段３，４の側板３１，４１と、後述する下側板６１、上側板６２、及び載置台６３が示されている。図４に示すハッチングが付されている部分は溝（後述する横溝６１１及び縦溝６１２等）である。
図１、図３、及び図４に示す廻り階段５は、１８０°を４段で不等間隔に廻るように構成されている。廻り階段５は、側板５０、４枚の段板５１１〜５１４、４枚の蹴込板５２１〜５２４、下側板６１、上側板６２、及び載置台６３を備える。
【００７１】
側板５０は、側板５０の一面が壁面２４に接触するようにして、壁面２４に取り付けられている。以下では側板５０の他面を側板５０の表面という。
側板５０は、下階側から上階側（左下側から右上側）に傾斜するように延びる。側板５０の左端部は、下階側の直階段３の外周側の側板３２に接触しており、側板５０の右端部は上階側の直階段４の外周側の側板４２に接触している。
【００７２】
段板５１１〜５１４は、平面視弧状に、６０°、３０°、３０°、及び６０°の間隔で配される。
段板５１１及び段板５１２（段板５１４及び段板５１３）夫々の平面視の形状は、略直角台形及び略直角三角形である。これらは、１枚の矩形が、該矩形の一頂部を中心にして６０°の角部を有する直角台形と３０°の角部を有する直角三角形とに分けられた場合の直角台形と直角三角形とに相当する。
【００７３】
段板５１１（第１の段板）は６０°の角部を有する直角台形状をなす。ただし、段板５１１は６０°の角部に矩形状の切り欠きを有する。段板５１１の切り欠き部分は、壁体２の端面２１と左面２２との角部（壁体２の左側の角部）に沿う。段板５１１の２つの９０°の角部の内、段板５１１の１２０°の角部に隣り合う方は、壁面２４，２５の角部に沿う。段板５１１は、下階側の直階段３における最上段の段板３３の上階側に隣り合う。段板５１１の段鼻の向きと段板３３の段鼻の向きとは同じである。
段板５１２（第３の段板）は３０°の角部を有する直角三角形状をなす。ただし、段板５１２は直角三角形の３０°の角部が切り落とされたような形状である。段板５１２は、段板５１１の上階側に隣り合う。段板５１２の段鼻は段板５１２の斜辺である。段板５１１の段鼻から段板５１２の段鼻までの角度は６０°である。
【００７４】
段板５１３（第４の段板）は３０°の角部を有する直角三角形状をなす。ただし、段板５１３は直角三角形の３０°の角部が切り落とされたような形状である。段板５１３は、段板５１２の上階側に隣り合う。段板５１３の段鼻は、段板５１３の３０°の角部を構成する隣辺である。段板５１１の段鼻から段板５１３の段鼻までの角度は９０°である。
段板５１４（第２の段板）は６０°の角部を有する直角台形状をなす。ただし、段板５１４は６０°の角部に矩形状の切り欠きを有する。段板５１４の切り欠き部分は、壁体２の端面２１と右面２３との角部（壁体２の右側の角部）に沿う。段板５１４の２つの９０°の角部の内、段板５１４の１２０°の角部に隣り合う方は、壁面２４，２６の角部に沿う。段板５１４は、段板５１３の上階側に隣り合い、上階側の直階段４における最下段の段板４３の下階側に隣り合う。段板５１１の段鼻から段板５１４の段鼻までの角度は１２０°である。
段板５１４の前端面には、上階側の直階段４における最下段の蹴込板４４が取り付けられている。
段板５１１の段鼻から上階側の直階段４における最下段の段板４３の段鼻までの角度は１８０°である。
【００７５】
図５は、階段装置１が備える下階側の直階段３の側板３２及び廻り階段５の側板５０を示す断面図である。
図６は、階段装置１が備える上階側の直階段４の側板４２及び廻り階段５の側板５０を示す断面図である。
側板５０の表面には、４本の横溝５０１，５０１，…が設けられている。横溝５０１は、下階側の直階段３の横溝３１１と略同様である。ただし、横溝５０１は右端部が開放されている。
側板５０の表面には、最下段の横溝５０１を除く横溝５０１毎に、横溝５０１の左端部近傍に連続した縦溝が設けられている。横溝５０１に係る縦溝は、下階側の直階段３の縦溝３１２と略同様である。
【００７６】
下階側の直階段３の側板３２の表面には横溝５０２が設けられている。横溝５０２は側板５０の最下段の横溝５０１（図５参照）に連続している。また、下階側の直階段３の側板３２の表面には、横溝５０２の前端部近傍に連続した縦溝が設けられている。横溝５０２に係る縦溝は、下階側の直階段３の縦溝３１２と略同様である。
上階側の直階段４の側板４２の表面には横溝５０３が設けられている。横溝５０３は側板５０の最上段の横溝５０１（図６参照）に連続している。
【００７７】
図１〜図４に示す下側板６１及び上側板６２は、廻り階段５において側板５０に対向する側板である。
下側板６１は一方向に長い矩形状をなす。下側板６１は、上下方向に延び、下側板６１の一面が壁体２の端面２１に接触するようにして、壁体２の端面２１に取り付けられている。以下では下側板６１の一面／他面を下側板６１の裏面／表面という。
下側板６１の左辺部（図４中の右側の長辺部）は、壁体２の左面２２を越えて左側に突出している。下側板６１の左端面６１ａは、側板３１の表面と面一である。
下側板６１の右辺部は、壁体２の端面２１の左右方向中央部に位置している。
【００７８】
下側板６１は、切り欠き６１０、横溝６１１（挿入溝）、縦溝６１２、及び延設部６１３を有する。
切り欠き６１０は、左側が開放されるようにして、下側板６１の左辺部に設けられている。
ところで、側板３１の表面には横溝６０１（挿入溝）及び縦溝６０２が設けられている。横溝６０１及び縦溝６０２は、側板３１の最上段の横溝３１１及び縦溝３１２の上階側に配されており、横溝３１１及び縦溝３１２と略同様の構成である。横溝６０１の後端部は開放されており、下側板６１の切り欠き６１０に連続している。
【００７９】
横溝６１１及び縦溝６１２は下側板６１の表面に設けられている。横溝６１１及び縦溝６１２は下階側の直階段３の横溝３１１及び縦溝３１２と略同様であるが、横溝６１１は右端部が開放されており、縦溝６１２の上端部は横溝６１１の左端部近傍に連続している。横溝６１１は、切り欠き６１０の上階側に配されている。
切り欠き６１０及び横溝６１１夫々の床面からの高さと、側板５０の横溝５０１，５０１，…の内、下階側の２つの横溝５０１，５０１夫々の床面からの高さとは同じである。
【００８０】
下側板６１の右辺（図４中の左側の長辺）の下部には、延設部６１３が右向きに延設されている。延設部６１３は矩形板状をなし、延設部６１３の両面は下側板６１の両面と面一である。延設部６１３の右端面６１ｂは、壁体２の右面２３と面一である。
【００８１】
段板５１１は、段板５１１の一面が上向き且つ水平になるようにして、側板３１，３２，５０及び下側板６１に取り付けられている。段板５１１の周縁の一部は、下側板６１の切り欠き６１０及び側板３１の横溝６０１に挿入されている。更に詳細には、段板５１１の切り欠き部分（壁体２の左側の角部に沿う部分）の周縁の内、端面２１に沿う部分は下側板６１の切り欠き６１０に挿入されており、左面２２に沿う部分は側板３１の横溝６０１に挿入されている。段板５１１の周縁の他の一部は、側板５０，３２の横溝５０１，５０２に挿入されている。
【００８２】
蹴込板５２１は、段板５１１と下階側の直階段３の最上段の段板３３とに亘る。蹴込板５２１の上端部は、段板５１１の下面に設けられた溝に挿入されて、段板５１１の下面に取り付けられている。蹴込板５２１の下端部は、段板３３の後端面に取り付けられている。蹴込板５２１の内周側の端部は、側板３１の縦溝３１２に挿入されている。蹴込板５２１の外周側の端部は、側板３２の横溝５０２に係る縦溝に挿入されている。
【００８３】
段板５１２は、段板５１２の一面が上向き且つ水平になるようにして、側板５０及び下側板６１に取り付けられている。段板５１２の周縁の一部は、下側板６１の横溝６１１に挿入されている。段板５１２の周縁の他部は、側板５０の横溝５０１に挿入されている。
蹴込板５２２は、段板５１２と段板５１１とに亘る。蹴込板５２２の上端部は、段板５１２の下面に設けられた溝に挿入されて、段板５１２の下面に取り付けられている。蹴込板５２２の下端部は、段板５１１の右端面に取り付けられている。蹴込板５２２の内周側の端部は、下側板６１の縦溝６１２に挿入されている。蹴込板５２２の外周側の端部は、側板５０の横溝５０１に係る縦溝に挿入されている。
【００８４】
図７は、階段装置１が備える上側板６２及び載置台６３を示す斜視図である。図７に示す点描が付されている部分は、化粧されている面である。
図１〜図４、及び図７に示す上側板６２は、一方向に長い矩形状をなす。上側板６２は、上下方向に延び、上側板６２の一面が壁体２の端面２１に接触するようにして、壁体２の端面２１に取り付けられている。以下では上側板６２の一面／他面を上側板６２の裏面／表面という。上側板６２の表面は図２にも示されている。上側板６２の表面は、下側板６１の表面と面一である。
上側板６２の下端面の左半分は下側板６１の上端面の右半分に接触している。上側板６２の右端面６２ａは、壁体２の右面２３と面一である。
【００８５】
上側板６２は、横溝６２１（挿入溝）、縦溝６２２、切り欠き６２３、縦溝６２４、目隠し部６２５、及び接触部６２６（突出部）を有する。
横溝６２１及び縦溝６２２は上側板６２の表面に設けられている。横溝６２１及び縦溝６２２は下側板６１の横溝６１１及び縦溝６１２と略同様である。
【００８６】
切り欠き６２３は、右側が開放されるようにして、上側板６２の右辺部に設けられている。切り欠き６２３は、横溝６２１の上階側に配されている。
縦溝６２４は上側板６２の表面に設けられている。縦溝６２４は縦方向に延び、縦溝６２４の上端部は、切り欠き６２３の左右方向の中途に連続している。縦溝６２２の下端部は開放されている。
横溝６２１及び切り欠き６２３夫々の床面からの高さと、側板５０の横溝５０１，５０１，…の内、上階側の２つの横溝５０１，５０１夫々の床面からの高さとは同じである。
【００８７】
目隠し部６２５及び接触部６２６は、上側板６２の両面と面一の板状をなし、上側板６２の右辺部に設けられている。目隠し部６２５は切り欠き６２３よりも上側に位置しており、接触部６２６は切り欠き６２３よりも下側に位置している。
目隠し部６２５及び接触部６２６は、右面２３を越えて右側に突出している。目隠し部６２５の先端面６２ｂは、上階側の直階段４の側板４１の表面と面一である。目隠し部６２５は、側板４１の後端面４１ｂを目隠しする。
【００８８】
載置台６３は、一方向に長い矩形板状をなす。載置台６３は、上下方向に延び、載置台６３の一面が壁体２の右面２３に接触するようにして、壁体２の右面２３に取り付けられている。以下では、載置台６３の一面／他面を載置台６３の裏面／表面という。載置台６３の表面は図２に示されている。
載置台６３の上端面は、上階側の直階段４の側板４１の下端面４１ａから段板５１４の厚みと同じ長さだけ離隔している。載置台６３の上端面と側板４１の下端面４１ａとの間に形成されている空間は、上側板６２の切り欠き６２３に連続している。
【００８９】
載置台６３は接触部６３１（突出部）を有する。接触部６３１は載置台６３の両面に面一の板状をなし、載置台６３の後辺部に設けられている。接触部６３１は壁体２の端面２１を越えて後側に突出している。
載置台６３の接触部６３１は上側板６２の接触部６２６に上側から接触している。
【００９０】
段板５１３は、段板５１３の一面が上向き且つ水平になるようにして、側板５０及び上側板６２に取り付けられている。段板５１３の周縁の一部は、上側板６２の横溝６２１に挿入されている。段板５１３の周縁の他部は、側板５０の横溝５０１に挿入されている。
蹴込板５２３は、段板５１３と段板５１２とに亘る。蹴込板５２３の上端部は、段板５１３の下面に設けられた溝に挿入されて、段板５１３の下面に取り付けられている。蹴込板５２３の下端部は、段板５１２の右端面に取り付けられている。蹴込板５２３の内周側の端部は、上側板６２の縦溝６２２に挿入されている。蹴込板５２３の外周側の端部は、側板５０の横溝５０１に係る縦溝に挿入されている。
【００９１】
段板５１４は、段板５１４の一面が上向き且つ水平になるようにして、側板４１，４２，５０及び上側板６２に取り付けられている。段板５１４の周縁の一部は、上側板６２の切り欠き６２３及び載置台６３の上端面と側板４１の下端面４１ａとの間に形成された空間に挿入されている。更に詳細には、段板５１４の切り欠き部分（壁体２の右側の角部に沿う部分）の周縁の内、端面２１に沿う部分は上側板６２の切り欠き６２３に挿入されており、右面２３に沿う部分は、載置台６３の上端面と側板４１の下端面４１ａとの間に形成された空間に挿入されている。段板５１４の周縁の他の一部は、側板５０，４２の横溝５０１，５０３に挿入されている。
【００９２】
蹴込板５２４は、段板５１４と段板５１３とに亘る。蹴込板５２４の上端部は、段板５１４の下面に設けられた溝に挿入されて、段板５１４の下面に取り付けられている。蹴込板５２４の下端部は、段板５１３の右端面に取り付けられている。蹴込板５２４の内周側の端部は、側板４１の縦溝４１２に挿入されている。蹴込板５２４の外周側の端部は、側板５０の横溝５０１に係る縦溝に挿入されている。
【００９３】
直階段３，４及び廻り階段５を構成する各部材の表面の内、少なくとも階段装置１を使用する使用者の目に見える表面は、化粧されている。例えば、図７に示すように、上側板６２の表面及び上端面と目隠し部６２５の先端面６２ｂとは化粧されている。また、上側板６２の左端面６２ｃは化粧されている。
【００９４】
次に、階段装置１の組み立て方法について説明する。
まず、壁面２５，２４，２６に、側板３２，５０，４２が、例えばこの順に（即ち下階側から順に）取り付けられる（図５及び図６参照）。
次に、段板５１１の切り欠き部分が壁体２の左側の角部に接触し、段板５１１の一面が上向き且つ水平になるようにして、段板５１１が壁体２と側板３２，５０との間に配される（図５参照）。側板３１及び下側板６１はまだ壁体２に取り付けられていないので、壁体２と側板３２，５０との間には空間的な余裕がある。故に、特段の問題なく段板５１１を配置することができる。
【００９５】
図８は、廻り階段５の段板５１１，５１４を壁体２の角部に配置する手順を説明するための平面図である。
段板５１１は、側板５０，３２の横溝５０１，５０２に、側板５０，３２に直交する方向に挿入される。この結果、段板５１１の切り欠き部分と壁体２の左側の角部との間に空隙が形成される。
【００９６】
図９は、下階側の直階段３の側板３１を壁体２に取り付ける手順を説明するための側面図である。
側板３１は、側板３１の裏面が壁体２の左面２２に接触するようにして段板５１１の前側に配される。次に、側板３１は、段板５１１が横溝６０１の後端部から横溝６０１に挿入されるようにして後向き（図９中の左向き）に動かされ、側板３１の後端面３１ａが壁体２の端面２１に面一になったときに、壁体２の左面２２に取り付けられる。
次に、下側板６１の裏面が壁体２の端面２１に接触するようにして、下側板６１が段板５１１の右側に配される（図４参照）。次いで、下側板６１は、段板５１１が下側板６１の切り欠き６１０に左側から挿入されるようにして左向き（図４中の右向き）に動かされ、壁体２の端面２１に取り付けられる。下側板６１の、壁体２の端面２１に沿う横方向の位置決めは、下側板６１の右端面６１ｂを壁体２の右面２３と面一にすることによって行なわれる。
側板３１及び下側板６１の壁体２への取り付け後、段板５１１は、側板３１，３２，５０及び下側板６１に取り付けられる。
【００９７】
本実施の形態では段板５１１、側板３１、及び下側板６１をこの順に配する場合を例示したが、これに限定されず、例えば段板５１１、下側板６１、及び側板３１がこの順に配されてもよい。
各側板の壁体２への固定は、例えば側板に設けられている溝の底面を、固定用部材（例えば皿ネジ）で貫通することによって行なう。
【００９８】
次に、段板５１４の切り欠き部分が壁体２の右側の角部に接触し、段板５１４の一面が上向き且つ水平になるようにして、段板５１４が壁体２と側板４２，５０との間に配される（図６参照）。上側板６２及び載置台６３はまだ壁体２に取り付けられていないので、壁体２と側板４２，５０との間には空間的な余裕がある。故に、特段の問題なく段板５１４を配置することができる。
次に、段板５１４は、側板５０，４２の横溝５０１，５０３に、側板５０，４２に直交する方向に挿入される（図８参照）。この結果、段板５１４の切り欠き部分と壁体２の右側の角部との間に空隙が形成される。
【００９９】
次に、上側板６２の裏面が壁体２の端面２１に接触するようにして、上側板６２が段板５１４の左側に配される（図４参照）。次いで、上側板６２は、段板５１４が上側板６２の切り欠き６２３に右側から挿入されるようにして右向き（図４中の左向き）に動かされ、壁体２の端面２１に取り付けられる。上側板６２の、壁体２の端面２１に沿う方向の位置決めは、上側板６２の下端面を下側板６１の上端面に接触させ、上側板６２の右端面６２ａを壁体２の右面２３と面一にすることによって行なわれる。このようにして上側板６２を壁体２の端面２１に取り付けることにより、上側板６２の接触部６２６が右面２３を越えて右側に突出する。
【０１００】
図１０は、載置台６３及び上階側の直階段４の側板４１を壁体２に取り付ける手順を説明するための側面図である。
載置台６３は、載置台６３の裏面が壁体２の右面２３に接触するようにして、段板５１４の下側に配される。次に、載置台６３の上端面に段板５１４が載置され、且つ、載置台６３の接触部６３１が上側板６２の接触部６２６に上側から接触するようにして、載置台６３が壁体２の右面２３に取り付けられる。このようにして載置台６３を壁体２の右面２３に取り付けることにより、載置台６３の接触部６３１が壁体２の端面２１を越えて後側に突出する。上側板６２及び載置台６３夫々の接触部６２６，６３１は、段板５１４によって上側から目隠しされる。また、段板５１４と蹴込板５２４とによって、接触部６２６，６３１は使用者から目隠しされる。
上側板６２及び載置台６３の壁体２への取り付け後、段板５１４は、側板４２，５０、上側板６２、及び載置台６３に取り付けられる。
【０１０１】
側板４１は、側板４１の裏面が壁体２の右面２３に接触するようにして段板５１４の上側に配される。次に、側板４１は、側板４１の下端面４１ａが段板５１４の上面に接触し、側板４１の後端面４１ｂが壁体２の端面２１に面一になるようにして、壁体２の右面２３に取り付けられる。この結果、載置台６３の上端面と側板４１の下端面４１ａとの間に形成された空間に段板５１４が挿入される。また、側板４１の後端面４１ｂが、上側板６２の目隠し部６２５によって目隠しされる。
本実施の形態では段板５１４、上側板６２、載置台６３、及び側板４１をこの順に配する場合を例示したが、これに限定されず、例えば側板４１、段板５１４、載置台６３、及び上側板６２がこの順に配されてもよい。
【０１０２】
次に、段板５１２が、下側板６１の横溝６１１及び側板５０の横溝５０１夫々に右端部から挿入されて、下側板６１及び側板５０に取り付けられる。
また、段板５１３が、上側板６２の横溝６２１及び側板５０の横溝５０１夫々に右端部から挿入されて、上側板６２及び側板５０に取り付けられる。
【０１０３】
本実施の形態では段板５１１，５１４，５１２，５１３がこの順に取り付けられる場合を例示したが、これに限定されない。壁体２の角部に配される段板５１１，５１４の取り付け順は、段板５１１が先でも段板５１４が先でもよい。また、例えば段板５１１が取り付けられた後、段板５１４を取り付ける前に、段板５１２が取り付けられてもよい。
【０１０４】
蹴込板５２１〜５２４の取り付けは、段板５１１〜５１４の取り付けが全て終わった後で、上階側又は下階側から順に行なわれる。なお、段板５１１〜５１４の何れかの取り付けが終わる都度、それに対応する蹴込板５２１〜５２４の取り付けが行なわれてもよい。
【０１０５】
蹴込板５２１は、側板３１の縦溝６０２及び側板３２の縦溝夫々に下端部から挿入され、段板５１１の溝に下側から挿入されて、段板５１１に取り付けられる。
蹴込板５２２は、下側板６１の縦溝６１２及び側板５０の縦溝夫々に下端部から挿入され、段板５１２の溝に下側から挿入されて、段板５１１，５１２に取り付けられる。
【０１０６】
蹴込板５２３は、上側板６２の縦溝６２２及び側板５０の縦溝夫々に下端部から挿入され、段板５１３の溝に下側から挿入されて、段板５１２，５１３に取り付けられる。
蹴込板５２４は、上側板６２の縦溝６２４及び側板５０の縦溝夫々に下端部から挿入され、段板５１４の溝に下側から挿入されて、段板５１３，５１４に取り付けられる。
【０１０７】
段板５１１の取り付け後であれば、いつでも下階側の直階段３の組み立てを行なうことができる。下階側の直階段３の組み立て手順は、従来の下階側の直階段の組み立て手順と同様である。下階側の直階段３が組み立てられた後で、廻り階段５の蹴込板５２１は、下階側の直階段３の最上段の段板３３にも取り付けられる。
側板４１，４２の取り付け後であれば、いつでも上階側の直階段４の組み立てを行なうことができる。上階側の直階段４の組み立て手順は、従来の上階側の直階段の組み立て手順と同様である。
【０１０８】
さて、図４に示すように、上側板６２においては、段板５１３，５１４よりも下側の部分（人目に付き難い部分）に比べて、段板５１３，５１４よりも上側の部分（人目に付き易い部分）の方が大きいので、段板５１３，５１４よりも上側の部分を壁体２に固定する必要がある。
【０１０９】
図１１は、上側板６２の分解斜視図である。図１１には、上側板６２の上端部が示されている。図１１に示す点描が付されている部分は、化粧されている面である。
上側板６２の上端部は、複数の固定用部材で壁体２に固定される。本実施の形態では、複数の固定用部材として２本の皿ネジ６２７，６２７を用いる。
【０１１０】
上側板６２の表面における上端部には、凹部６２８が予め設けられている。凹部６２８の内面には、２個の下穴６２９，６２９が左右方向に並設される。
各皿ネジ６２７は、下穴６２９を貫通するようにして、上側板６２の上端部を壁体２に固定する。
皿ネジ６２７，６２７による上側板６２の固定後、化粧部材６２０によって凹部６２８が覆われる。この結果、凹部６２８及び皿ネジ６２７，６２７が目隠しされる。
なお、固定用部材は皿ネジ６２７に限定されず、例えば釘でもよい。
【０１１１】
本実施の形態では、凹部６２８は、目隠し部６２５の先端面６２ｂ、上側板６２の左端面６２ｃ、及び上側板６２の上端面に亘る矩形状をなす。化粧部材６２０は一方向に長い矩形板状をなし、少なくとも化粧部材６２０の一面、長手方向の両端面、及び短手方向の一端面が化粧されている。化粧部材６２０は、化粧されている一面が上側板６２の表面に面一になり、化粧されている３つの端面が目隠し部６２５の先端面６２ｂ、上側板６２の左端面６２ｃ、及び上側板６２の上端面に面一になるようにして、凹部６２８に嵌め合わされる。化粧部材６２０は、凹部６２８の内面に接着される。
【０１１２】
なお、上側板６２の上端面は非化粧面でもよい。この場合、化粧部材６２０は、Ｌ字状の断面を有する部材であり、上側板６２の上端面も覆うようにして、凹部６２８に嵌め合わされる。
又は、凹部６２８は左右方向に延びる溝状でもよい。
或いは、凹部６２８は、上下方向に延び、上側板６２の上端面に亘る溝状でもよい。この場合、凹部６２８の内面には、２個の下穴６２９，６２９が上下方向に並設される。
【０１１３】
以上のような階段装置１の場合、段板５１１及び段板５１４が壁体２の２つの角部に配された後で、段板５１１及び段板５１４を支持する下側板６１及び上側板６２が壁体２の端面２１に取り付けられる。
即ち、壁体２の端面２１に下側板６１を取り付ける前に壁体２の左側の角部に段板５１１が配されるので、段板５１１の配置時に下側板６１が段板５１１に干渉することはない。同様に、壁体２の端面２１に上側板６２を取り付ける前に壁体２の右側の角部に段板５１４が配されるので、段板５１４の配置時に上側板６２が段板５１４に干渉することはない。
【０１１４】
下側板６１及び段板５１１は下階側に、上側板６２及び段板５１４は上階側に配される。故に、下側板６１及び段板５１１と上側板６２及び段板５１４とが互いに干渉する虞はない。従って、段板５１１の配置及び段板５１４の配置の何れが先に実行されてもよいので、階段装置１の組み立て手順の自由度は高い。
【０１１５】
段板５１２及び段板５１３は何れも壁体２の角部に配される段板ではないので、特段の問題なく、壁体２の端面２１に取り付けられた下側板６１及び上側板６２の横溝６１１，６２１に右側から挿入することができる。また、段板５１１〜５１４は段違いに配されるので、段板５１１〜５１４が互いに干渉する虞はない。従って、段板５１２の配置及び段板５１３の配置の何れが先に実行されてもよいので、階段装置１の組み立て手順の自由度は高い。
【０１１６】
下側板６１は段板５１１及び段板５１２を支持し、上側板６２は段板５１３及び段板５１４を支持する。つまり、段板５１１〜５１４夫々に個別の側板を用いる必要がないので、部品点数の増大が抑制される。また、壁体２の端面２１に取り付けられる側板の枚数は２枚なので、作業工数の増大が抑制される。
下側板６１は、段板５１２が挿入される横溝６１１を有し、段板５１２が挿入される切り欠きを有していないので、下側板６１の強度は大きい。同様に、上側板６２は、段板５１４が挿入される横溝６２１を有し、段板５１４が挿入される切り欠きを有していないので、上側板６２の強度は大きい。
【０１１７】
下側板６１と共に段板５１１を支持する側板３１は、下階側の直階段３を構成するものなので、部材点数を削減することができる。
側板３１は段板５１１の配置後に取り付けられるので、段板５１１に干渉しない。また、側板３１は左面２２に取り付けられるので、段板５１４に干渉しない。
下側板６１及び側板３１の何れが先に取り付けられてもよいので、階段装置１の組み立て手順の自由度は高い。
【０１１８】
載置台６３は段板５１４の配置後に取り付けられるので、段板５１４に干渉しない。また、載置台６３は右面２３に取り付けられるので、段板５１１に干渉しない。
上側板６２及び載置台６３の何れが先に取り付けられてもよいので、階段装置１の組み立て手順の自由度は高い。
【０１１９】
上側板６２及び載置台６３の一方が他方よりも先に壁体２に取り付けられる場合、正確に位置決めされている一方の突出部（接触部）に他方の突出部（接触部）を上側又は下側から接触させれば、他方の上下方向の正確な位置決めを容易に行なうことができる。
【０１２０】
下側板６１及び上側板６２夫々は、互いに上下方向に接触するように壁体２の端面２１に取り付けられる。故に、下側板６１及び上側板６２の一方の位置決めを正確に行なえば、一方に他方を接触させることによって、他方の上下方向の正確な位置決めを容易に行なうことができる。
また、下側板６１及び上側板６２においては、右端面６１ｂ及び右端面６２ａと壁体２の右面２３とが面一になるようにして下側板６１及び上側板６２夫々が壁体２の端面２１に取り付けられる。故に、下側板６１及び上側板６２夫々の左右方向の正確な位置決めを容易に行なうことができる。
なお、下側板６１及び上側板６２夫々の端面の一部に、壁体２の左面２２と面一になる部分が設けられていてもよい。
【０１２１】
皿ネジ６２７，６２７と、皿ネジ６２７，６２７を用いて上側板６２を壁体２に固定するための凹部６２８とは、化粧部材６２０によって目隠しされるので、階段装置１の美観を向上させることができる。
化粧部材６２０の化粧されている一面は上側板６２の表面に面一になり、化粧部材６２０の化粧されている３つの端面は目隠し部６２５の先端面６２ｂ、上側板６２の左端面６２ｃ、及び上側板６２の上端面に面一になる。また、２本の皿ネジ６２７，６２７に対応する大きな凹部６２８の内面が化粧部材６２０で覆われるので、１本の皿ネジ６２７に対応する小さな凹部の内面が化粧部材で覆われる場合よりも、化粧部材が用いられていることによる違和感を却って低減することができる。
【０１２２】
実施の形態  ２．
本実施の形態の階段装置１及び階段装置１の組み立て方法は、実施の形態１の階段装置１及び階段装置１の組み立て方法と略同様の構成である。本実施の形態の階段装置１及び階段装置１の組み立て方法は、実施の形態１の階段装置１及び階段装置１の組み立て方法と略同様の作用効果を奏する。以下では、実施の形態１との差異について説明し、その他、実施の形態１と同一の構成要素には同一の符号を付してそれらの説明を省略する。
【０１２３】
図１２は、実施の形態２に係る階段装置１を示す背面図である。図１２は、壁体２の端面２１の近傍における階段装置１を示している。図１２には、直階段３，４の側板３１，４１と、下側板６１、上側板６２、及び載置台６３が示されている。図１２に示すハッチングが付されている部分は溝（横溝６１１及び縦溝６１２等）である。
下側板６１の上端面の左半分には、目隠し部６１４が上向きに突設されている。目隠し部６１４は、上側板６２の下端面と下側板６１の上端面との境界部分を左側から目隠ししている。
【０１２４】
下側板６１の取り付け後に上側板６２の取り付けが行なわれる場合、例えば上側板６２の上部が上側板６２の下部よりも左側に位置するように上側板６２が傾けられて、上側板６２の下部が下側板６１の上端面に接触させられ、次いで、上側板６２の下端面と下側板６１の上端面とが接触させられる。この結果、目隠し部６１４に阻害されることなく、上側板６２の取り付けを行なうことができる。
なお、上側板６２の取り付け後に下側板６１の取り付けが行なわれてもよい。この場合は下側板６１が一旦傾けられる。
【０１２５】
実施の形態  ３．
本実施の形態の階段装置１及び階段装置１の組み立て方法は、実施の形態２の階段装置１及び階段装置１の組み立て方法と略同様の構成である。本実施の形態の階段装置１及び階段装置１の組み立て方法は、実施の形態２の階段装置１及び階段装置１の組み立て方法と略同様の作用効果を奏する。以下では、実施の形態２との差異について説明し、その他、実施の形態２と同一の構成要素には同一の符号を付してそれらの説明を省略する。
【０１２６】
図１３は、実施の形態３に係る階段装置１を示す平面図である。
図１４は、階段装置１を示す背面図である。
図１５は、階段装置１が備える各種の側板を示す側面図である。
図１３及び図１４は、壁体２の端面２１の近傍における階段装置１を示している。図１４には、直階段３，４の側板３１，４１、下側板６１、及び上側板６２と、後述する下補助側板６４及び上補助側板６５とが示されている。図１５には、各種の側板の表面が示されている。図１４及び図１５に示すハッチングが付されている部分は溝（横溝６１１及び縦溝６１２等）である。
【０１２７】
図１６は、下補助側板６４及び下階側の直階段３の側板３１を壁体２に取り付ける手順を説明するための側面図である。
図１７は、上補助側板６５及び上階側の直階段４の側板４１を壁体２に取り付ける手順を説明するための側面図である。
【０１２８】
本実施の形態においては、側板３１の長手方向の上端部には後端面３１ａ及び上端面３１ｂが設けられている。上端面３１ｂは床面に平行であり、後端面３１ａは壁体２の端面２１よりも前側に位置している。後端面３１ａ及び上端面３１ｂは連続している。
【０１２９】
廻り階段５は、１８０°を６段で等間隔に廻るように構成されている。廻り階段５は、側板５０、６枚の段板５３０〜５３５、６枚の蹴込板５４０〜５４５、下側板６１、上側板６２、下補助側板６４、及び上補助側板６５を備える。
段板５３１〜５３４は第１〜第４の段板である。段板５３０は第５の段板であり、段板５３５は第６の段板である。段板５３０〜５３５は、平面視弧状に、３０°の等間隔で配される。
【０１３０】
段板５３０は、下階側の直階段３における最上段の段板３３の上階側に隣り合う。段板５３０の段鼻の向きと段板３３の段鼻の向きとは同じである。
段板５３１は、段板５３０の上階側に隣り合う。段板５３１の切り欠き部分は、壁体２の左側の角部に沿う。段板５３０の段鼻から段板５３１の段鼻までの角度は３０°である。
段板５３２は、段板５３１の上階側に隣り合う。段板５３０の段鼻から段板５３２の段鼻までの角度は６０°である。
【０１３１】
段板５３３は、段板５３２の上階側に隣り合う。段板５３０の段鼻から段板５３３の段鼻までの角度は９０°である。
段板５３４は、段板５３３の上階側に隣り合う。段板５３４の切り欠き部分は、壁体２の右側の角部に沿う。段板５３０の段鼻から段板５３４の段鼻までの角度は１２０°である。
段板５３５は、段板５３４の上階側に隣り合う。段板５３０の段鼻から段板５３５の段鼻までの角度は１５０°である。段板５３５の前端面には、上階側の直階段４における最下段の蹴込板４４が取り付けられている。
段板５３０の段鼻から上階側の直階段４における最下段の段板４３の段鼻までの角度は１８０°である。
蹴込板５４０〜５４５は、段板５３０〜５３５に対応する蹴込板である。
【０１３２】
側板３２の表面における横溝５０２の下階側には、更に１本の横溝５０２と、この横溝５０２の前端部近傍に連続した縦溝とが設けられている。側板４２の表面における横溝５０３の上階側には、更に１本の横溝５０３と、この横溝５０３の前端部近傍に連続した縦溝とが設けられている。
【０１３３】
本実施の形態の下側板６１は接触部６１５を有する。接触部６１５は、下側板６１の切り欠き６１０の下側に位置し、壁体２の左面２２を越えて左側に突出している。このような下側板６１は、実施の形態２の下側板６１（図１２参照）の左下側（図中右下側）の角部を切り欠くことによって形成することができる。下側板６１の、接触部６１５の下側に位置している左端面６１ｃは、壁体２の左面２２と面一である。
下側板６１の横溝６１１は、下側板６１の上端面に亘る。
なお、下側板６１は延設部６１３又は目隠し部６１４を有していなくてもよい。
【０１３４】
本実施の形態の上側板６２は、目隠し部６２５を有していない。
上側板６２の下端面は、下側板６１の上端面に接触することによって、下側板６１の横溝６１１の上面として機能する。
【０１３５】
下補助側板６４は、側板３２に対向する側板である。
下補助側板６４の形状及び寸法等は、上側板６２から横溝６２１及び縦溝６２２が設けられている部分を削除した部材の形状及び寸法等と略同様である。下補助側板６４は、切り欠き６４３、縦溝６４４、及び接触部６４６を有し、これらは上側板６２の切り欠き６２３、縦溝６２４、及び接触部６２６と略同じ構成である。下補助側板６４の後端面６４ａは、上側板６２の右端面６２ａに相当する。
【０１３６】
下補助側板６４は、上下方向に延び、下補助側板６４の一面が壁体２の左面２２に接触するようにして、壁体２の左面２２に取り付けられている。以下では下補助側板６４の一面／他面を下補助側板６４の裏面／表面という。
下補助側板６４の表面は、側板３１の表面及び下側板６１の左端面６１ａと面一である。下補助側板６４の後端面６４ａは、壁体２の端面２１と面一である。下補助側板６４の上端面は、下側板６１の目隠し部６１４の先端面と面一である。
下補助側板６４の下端面は、側板３１の上端面３１ｂに接触しており、側板３１の横溝６０１の上面として機能する。
【０１３７】
切り欠き６４３は後側が開放されており、下側板６１の切り欠き６１０に連続している。縦溝６４４は切り欠き６４３の前後方向の中途に連続している。
接触部６４６は、壁体２の端面２１を越えて後側に突出している。接触部６４６は、下側板６１の接触部６１５に下側から接触している。
【０１３８】
上補助側板６５は、側板４２に対向する側板である。
上補助側板６５の形状及び寸法等は、本実施の形態の下側板６１の形状及び寸法等と略同様である。故に、部品点数を削減することができる。上補助側板６５は、切り欠き６５０、横溝６５１（挿入溝）、縦溝６５２、延設部６５３、目隠し部６５４、及び接触部６５５を有し、これらは下側板６１の切り欠き６１０、横溝６１１、縦溝６１２、延設部６１３、目隠し部６１４、及び接触部６１５と略同じ構成である。上補助側板６５の後端面６５ａ，６５ｃは下側板６１の左端面６１ａ，６１ｃに相当する。なお、上補助側板６５は延設部６５３又は目隠し部６５４を有していなくてもよい。
【０１３９】
上補助側板６５は、上下方向に延び、上補助側板６５の一面が壁体２の右面２３に接触するようにして、壁体２の右面２３に取り付けられている。以下では上補助側板６５の一面／他面を上補助側板６５の裏面／表面という。
上補助側板６５の表面は側板４１の表面と面一である。上補助側板６５の後端面６５ａは上側板６２の表面と面一であり、後端面６５ｃは壁体２の端面２１と面一である。
横溝６５１は前端部が開放されており、上補助側板６５の上端面に亘る。上補助側板６５の上端面は、側板４１の下端面４１ａに接触しており、下端面４１ａは、横溝６５１の上面として機能する。目隠し部６５４は、側板４１の下端面４１ａと上補助側板６５の上端面との境界部分を目隠ししている。
切り欠き６５０は後側が開放されており、上側板６２の切り欠き６２３に連続している。
接触部６５５は、上側板６２の切り欠き６５０の下側に位置し、壁体２の端面２１を越えて後側に突出している。接触部６５５は、上側板６２の接触部６２６に上側から接触している。
【０１４０】
次に、階段装置１の組み立て方法について説明する。
まず、壁面２５，２４，２６に、側板３２，５０，４２が、例えばこの順に（即ち下階側から順に）取り付けられる。また、側板３１が壁体２の左面２２に取り付けられ（図１６参照）、側板４１が壁体２の右面２３に取り付けられる（図１７参照）。
【０１４１】
次に、段板５３１の切り欠き部分が壁体２の左側の角部に接触し、段板５３１の一面が上向き且つ水平になるようにして、段板５３１が壁体２と側板３２，５０との間に配される。下側板６１及び下補助側板６４はまだ壁体２に取り付けられていないので、壁体２と側板３２，５０との間には空間的な余裕がある。故に、特段の問題なく段板５３１を配置することができる。
段板５３１は、側板５０，３２の横溝５０１，５０２に、側板３２，５０に直交する方向に挿入される。この結果、段板５３１の切り欠き部分と壁体２の左側の角部との間に空隙が形成される。
【０１４２】
図１６に示すように、下補助側板６４は、下補助側板６４の裏面が壁体２の左面２２に接触するようにして、段板５３１の前側に配される。次いで、下補助側板６４は、下補助側板６４の下端面が側板３１の上端面３１ｂに接触し、段板５３１が切り欠き６４３に後側から挿入されるようにして後ろ向き（図１６中の左向き）に動かされ、後端面６４ａが壁体２の端面２１に面一になったときに、壁体２の左面２２に取り付けられる。即ち、下補助側板６４の位置決めと壁体２の左面２２への取り付けとが同時的に行なわれる。
【０１４３】
次に、下側板６１の裏面が壁体２の端面２１に接触するようにして、下側板６１が段板５３１の右側に配される（図１４参照）。次いで、下側板６１は、段板５３１が切り欠き６１０に左側から挿入されるようにして図１４中の右向きに動かされ、接触部６１５が下補助側板６４の接触部６４６に上側から接触し、且つ、左端面６１ｃが壁体２の左面２２と面一になったときに、壁体２の端面２１に取り付けられる。即ち、下側板６１の位置決めと壁体２の端面２１への取り付けとが同時的に行なわれる。
下側板６１及び下補助側板６４夫々の接触部６１５，６４６は、段板５３１によって上側から目隠しされる。また、段板５３１と後述する蹴込板５４１とによって、接触部６１５，６４６は使用者から目隠しされる。
下側板６１及び下補助側板６４の壁体２への取り付け後、段板５３１は、下側板６１、下補助側板６４、及び側板３２，５０に取り付けられる。
なお、下側板６１の取り付けは下補助側板６４の取り付け前に行なわれてもよい。また、段板５３１の取り付け後に側板３１の取り付けが行なわれてもよい。側板３１，３２の取り付け後であれば、いつでも下階側の直階段３の組み立てを行なうことができる。
【０１４４】
次に、段板５３４の切り欠き部分が壁体２の右側の角部に接触し、段板５３４の一面が上向き且つ水平になるようにして、段板５３４が壁体２と側板４２，５０との間に配される。上側板６２及び上補助側板６５はまだ壁体２に取り付けられていないので、壁体２と側板４２，５０との間には空間的な余裕がある。故に、特段の問題なく段板５３４を配置することができる。
段板５３４は、側板５０，４２の横溝５０１，５０３に、側板４２，５０に直交する方向に挿入される。この結果、段板５３４の切り欠き部分と壁体２の右側の角部との間に空隙が形成される。
【０１４５】
次いで、上側板６２の裏面が壁体２の端面２１に接触するようにして、上側板６２が段板５３４の左側に配される（図１４参照）。次に、上側板６２は、上側板６２の下端面が下側板６１の上端面に接触し、段板５３４が切り欠き６２３に右側から挿入されるようにして動かされ、右端面６２ａが壁体２の右面２３と面一になったときに壁体２の端面２１に取り付けられる。即ち、上側板６２の位置決めと壁体２の端面２１への取り付けとが同時的に行なわれる。
【０１４６】
次いで、上補助側板６５が、上補助側板６５の裏面が壁体２の右面２３に接触するようにして、段板５３４の前側に配される（図１７参照）。次に、上補助側板６５は、上補助側板６５の上端面が側板４１の下端面４１ａに接触し、且つ接触部６５５が上側板６２の接触部６２６に上側から接触し、段板５３４が切り欠き６５０に後側から挿入されるようにして動かされ、後端面６５ｃが壁体２の端面２１に面一になったときに、壁体２の右面２３に取り付けられる。即ち、上補助側板６５の位置決めと壁体２の右面２３への取り付けとが同時的に行なわれる。
上側板６２及び上補助側板６５夫々の接触部６２６，６５５は、段板５３４によって上側から目隠しされる。また、段板５３４と後述する蹴込板５４４とによって、接触部６２６，６５５は使用者から目隠しされる。
上側板６２及び上補助側板６５の壁体２への取り付け後、段板５３４は、上側板６２、上補助側板６５、及び側板４２，５０に取り付けられる。
なお、上側板６２の取り付けは上補助側板６５の取り付け後に行なわれてもよい。また、段板５３４の取り付け後に側板４１の取り付けが行なわれてもよい。側板４１，４２の取り付け後であれば、いつでも上階側の直階段４の組み立てを行なうことができる。
【０１４７】
次に、段板５３０が、側板３１の横溝６０１及び側板３２の横溝５０２夫々に後側から挿入されて、側板３１，３２に取り付けられる。
また、段板５３２が、下側板６１の横溝６１１及び側板５０の横溝５０１夫々に右側から挿入されて、下側板６１及び側板５０に取り付けられる。
更に、段板５３３が、上側板６２の横溝６２１及び側板５０の横溝５０１夫々に右側から挿入されて、上側板６２及び側板５０に取り付けられる。
更にまた、段板５３５が、上補助側板６５の横溝６５１及び側板４２の横溝５０３夫々に前側から挿入されて、上側板６２及び側板５０に取り付けられる。
【０１４８】
蹴込板５４０〜５４５の取り付けは、段板５３０〜５３５の取り付けが全て終わった後で、上階側又は下階側から順に行なわれる。なお、段板５３０〜５３５の何れかの取り付けが終わる都度、それに対応する蹴込板５４０〜５４５の取り付けが行なわれてもよい。
【０１４９】
蹴込板５４０は、側板３１の縦溝６０２及び側板３２の縦溝夫々に下端部から挿入され、段板５３０の溝に下側から挿入されて、段板５３０及び下階側の直階段３の最上段の段板３３に取り付けられる。
蹴込板５４１は、下補助側板６４の縦溝６４４及び側板３２の縦溝夫々に下端部から挿入され、段板５３１の溝に下側から挿入されて、段板５３０，５３１に取り付けられる。
蹴込板５４２は、下側板６１の縦溝６１２及び側板５０の縦溝夫々に下端部から挿入され、段板５３２の溝に下側から挿入されて、段板５３１，５３２に取り付けられる。
【０１５０】
蹴込板５４３は、上側板６２の縦溝６２２及び側板５０の縦溝夫々に下端部から挿入され、段板５３３の溝に下側から挿入されて、段板５３２，５３３に取り付けられる。
蹴込板５４４は、上側板６２の縦溝６２４及び側板５０の縦溝夫々に下端部から挿入され、段板５３４の溝に下側から挿入されて、段板５３３，５３４に取り付けられる。
蹴込板５４５は、上補助側板６５の縦溝６５２及び側板４２の縦溝夫々に下端部から挿入され、段板５３５の溝に下側から挿入されて、段板５３４，５３５に取り付けられる。
【０１５１】
図１６に示すように、下補助側板６４は、段板５３０，５３１よりも上側の部分（人目に付き易い部分）が大きい。故に、下補助側板６４の上端部には、上側板６２の凹部６２８と同様の凹部が設けられており、下補助側板６４の凹部は、上側板６２の化粧部材６２０と同様の化粧部材６４０によって覆われている。下補助側板６４は、下補助側板６４の凹部の内面を貫通している複数の皿ネジによって、壁体２に固定されている。
【０１５２】
以上のような階段装置１の場合、段板５３１の周縁の内、壁体２の端面２１に沿う部分は下側板６１によって支持され、壁体２の左面２２に沿う部分は下補助側板６４によって支持される。
下補助側板６４は段板５３１の配置後に取り付けられるので、段板５３１に干渉しない。また、下補助側板６４は壁体２の左面２２に取り付けられるので、段板５３４に干渉しない。
下側板６１及び下補助側板６４の何れが先に取り付けられてもよいので、階段装置１の組み立て手順の自由度は高い。
【０１５３】
段板５３４の周縁の内、壁体２の端面２１に沿う部分は上側板６２によって支持され、壁体２の右面２３に沿う部分は上補助側板６５によって支持される。
上補助側板６５は段板５３４の配置後に取り付けられるので、段板５３４に干渉しない。また、上補助側板６５は壁体２の右面２３に取り付けられるので、段板５３１に干渉しない。
上側板６２及び上補助側板６５の何れが先に取り付けられてもよいので、階段装置１の組み立て手順の自由度は高い。
【０１５４】
段板５３０は角部に配される段板ではないので、特段の問題なく、壁体２の左面２２に取り付けられた側板３１の横溝６０１に後側から挿入することができる。同様に、段板５３５は角部に配される段板ではないので、特段の問題なく、壁体２の右面２３に取り付けられた上補助側板６５の横溝６５１に前側から挿入することができる。
段板５３０は、下階側の直階段３を構成する側板３１に支持され、段板５３５は、上補助側板６５に支持されるので、部材点数を削減することができる。
【０１５５】
段板５３２，５３３は、実施の形態２の段板５１２，５１３と同様に、特段の問題なく、壁体２の端面２１に取り付けられた下側板６１及び上側板６２の横溝６１１，６２１に右側から挿入することができる。
段板５３０〜５３５は段違いに配されるので、段板５３０〜５３５が互いに干渉する虞はない。従って、段板５３０，５３２，５３３，５３５夫々の配置は、何れを先に実行してもよいので、階段装置１の組み立て手順の自由度は高い。
【０１５６】
実施の形態  ４．
本実施の形態の階段装置１及び階段装置１の組み立て方法は、実施の形態１の階段装置１及び階段装置１の組み立て方法と略同様の構成である。本実施の形態の階段装置１及び階段装置１の組み立て方法は、実施の形態１の階段装置１及び階段装置１の組み立て方法と略同様の作用効果を奏する。以下では、実施の形態１との差異について説明し、その他、実施の形態１と同一の構成要素には同一の符号を付してそれらの説明を省略する。
【０１５７】
図１８は、実施の形態４に係る階段装置１が備える上側板６２を示す斜視図である。
図１９は、上側板６２の分解斜視図である。
図２０は、上側板６２の分解背面図である。
図２１は、上側板６２の分解側面図である。
図１８〜図２１に示す点描が付されている部分は、化粧されている面である。
【０１５８】
本実施の形態においても、上側板６２の表面は、化粧された化粧面である。また、目隠し部６２５の先端面６２ｂ及び上側板６２の左端面６２ｃ夫々は化粧されている。
上側板６２の上端面６２ｄは化粧されていない。上側板６２の上端面６２ｄは平坦である。上側板６２の上端面６２ｄには凸部６６が設けられている。
【０１５９】
凸部６６は、上側板６２の上端面６２ｄから上向きに突出している。また、凸部６６は、上側板６２よりも薄い板状をなす。凸部６６の一面６６１は上側板６２の表面より前側（上側板６２の裏面側）に位置しており、上側板６２の上端面６２ｄに直交している。凸部６６の他面６６２は上側板６２の裏面に面一である。凸部６６の基部の左右方向の両端部には、Ｒ面６６３，６６３が設けられている。左側（右側）のＲ面６６３は、右向き（左向き）に凹状をなす。各Ｒ面６６３は、上側板６２の上端面６２ｄに円滑に連続している。
上側板６２に凸部６６を設ける場合、例えばエンドミルを用いて、上側板６２となすべき板材を切削することによって、上側板６２の上端面６２ｄを平坦にしつつ上側板６２の上端面６２ｄに凸部６６を設けることができる。このとき、凸部６６の基部にＲ面６６３，６６３が形成される。
【０１６０】
凸部６６の一面６６１には、２個の下穴６２９，６２９が左右方向に並設されている。各皿ネジ６２７は、下穴６２９を貫通するようにして、上側板６２の上端部を壁体２に固定している。化粧部材６７は、凸部６６及び上側板６２の上端面６２ｄを覆っている。
【０１６１】
化粧部材６７は、左右方向に長い矩形板状をなす。化粧部材６７の一面６７１、左右方向の両端面、及び上端面夫々は化粧されている。
化粧部材６７の他面６７２における左右方向の両端部は化粧されている。本実施の形態では、他面６７２における左右方向の両端部に、突板６７３，６７３が貼り付けられている。突板６７３は、化粧部材６７より薄い化粧板である。
化粧部材６７の下端面６７４は平坦である。下端面６７４の前後左右方向の長さは、上側板６２の上端面６２ｄの前後左右方向の長さと同じである。
化粧部材６７には凹部６７５が設けられている。凹部６７５は、化粧部材６７の他面６７２から下端面６７４に亘って開口している。凸部６６は、凹部６7５の、下端面６７４に位置している開口を通って凹部６7５に挿入されており、凹部６7５の、他面６７２に位置している開口を通って壁体２に接触している。
【０１６２】
化粧部材６７は、他面６７２が壁体２の端面２１に向き、下端面６７４が上側板６２の上端面６２ｄに向くようにして、凸部６６及び上側板６２の上端面６２ｄを覆っている。凸部６６は凹部６７５に収容されている。
【０１６３】
凸部６６の前後方向（上側板６２の厚み方向）の長さＡ１は、凹部６７５の前後方向の長さＢ１より短い。凸部６６の上端面６２ｄからの突出長さＡ２は、凹部６７５の上下方向（上側板６２の長手方向）の開口長さＢ２より短い。凸部６６の左右方向（上側板６２の短手方向）の長さＡ３は、凹部６７５の左右方向の開口長さＢ３より短い。従って、凸部６６と凹部６７５の内面との間には空隙が形成されている。
【０１６４】
以上のような上側板６２を壁体２に固定する場合、図１９に示すように、凸部６６の一面６６１に下穴６２９，６２９が設けられる。各皿ネジ６２７は、下穴６２９を貫通するようにして、上側板６２の上端部を壁体２に固定する。
皿ネジ６２７，６２７による上側板６２の固定後、化粧部材６７は、他面６７２が壁体２の端面２１に向き、下端面６７４が上側板６２の上端面６２ｄに向くようにして、凸部６６及び上側板６２の上端面６２ｄを覆う。このとき、凸部６６が凹部６７５に収容される。この結果、凸部６６、上側板６２の上端面６２ｄ、及び皿ネジ６２７，６２７が目隠しされると共に、化粧部材６７の凹部６７５が目隠しされる。
【０１６５】
凸部６６と凹部６７５の内面との間には空隙が形成される。
故に、凸部６６又は凹部６７５に多少の寸法誤差が生じていたとしても、化粧部材６７の一面６７１が上側板６２の表面と面一になる。また、化粧部材６７の長手方向両端面が上側板６２の左端面６２ｃ及び目隠し部６２５の先端面６２ｂと面一になる。更にまた、化粧部材６７の下端面６７４が上側板６２の上端面６２ｄに接触する。
凸部６６と凹部６７５の内面との間の空隙には、例えば接着剤が充填される。
【０１６６】
化粧部材６７の下端面６７４は、上側板６２の上端面６２ｄに接着される。化粧部材６７の下端面６７４及び上側板６２の上端面６２ｄ夫々は平坦なので、両者を隙間なく接触させることは容易である。従って、上側板６２の上端面６２ｄと化粧部材６７との間に無用な隙間が形成される虞はない。
更に、化粧部材６７の他面６７２が壁体２の端面２１に接着される。
【０１６７】
上側板６２の目隠し部６２５及び化粧部材６７の右端部は、側板４１の後端面４１ｂを目隠しする（図２及び図４参照）。上側板６２又は側板４１の寸法誤差、又は取り付け時の位置ずれ等によって化粧部材６７の他面６７２の右端部が人目に触れる場合がある。しかしながら、この部分は突板６７３によって化粧されているので、人目に触れたとしても、美観を損なう虞はない。
階段装置１が左回りの場合、同様の理由で、化粧部材６７の他面６７２の左端部が人目に触れる場合がある。しかしながら、この部分は突板６７３によって化粧されているので、人目に触れたとしても、美観を損なう虞はない。
【０１６８】
つまり、化粧部材６７は、他面６７２における左右方向の両端部夫々が化粧されているので、右回りの階段装置１及び左回りの階段装置１の何れにも適用可能である。
また、化粧部材６７の左右方向の両端部に突板６７３，６７３が貼り付けられているので、突板６７３を含む化粧部材６７の左端部の厚みと、突板６７３を含む化粧部材６７の右端部の厚みとを、互いに等しくすることができる。仮に、突板６７３，６７３の一方が省略されている場合、化粧部材６７の左右方向の一端部の厚みと、突板６７３を含む化粧部材６７の左右方向の他端部の厚みとが互いに異なるので、化粧部材６７の取り付け時に化粧部材６７の位置ずれが生じ易い。
【０１６９】
化粧部材６７の最大厚みと上側板６２の最大厚みとを互いに一致させるために、上側板６２の裏面に突板６７３の厚みと同じ厚みを有する突板６８が貼り付けられていることが望ましい。とはいえ、上側板６２の裏面の全体に突板６８を貼り付けることは無駄なので、図２０に示すように、上側板６２の裏面における右端部と目隠し部６２５とに突板６８，６８が貼り付けられていることが望ましい。
【０１７０】
以上のような階段装置１によれば、皿ネジ６２７，６２７と、皿ネジ６２７，６２７を用いて上側板６２を壁体２に固定するための凸部６６と、上側板６２の上端面６２ｄとが、化粧部材６７によって目隠しされるので、階段装置１の美観を向上させることができる。
化粧部材６７の一面６７１は上側板６２の表面と面一になり、化粧部材６７の長手方向両端面は上側板６２の左端面６２ｃ及び目隠し部６２５の先端面６２ｂと面一になる。また、複数の皿ネジ６２７，６２７に応じた大きな凸部６６が、上側板６２の上端面６２ｄと共に化粧部材６７で覆われる。故に、１本の皿ネジ６２７に対応する小さな凹部の内面が化粧部材で覆われる場合よりも、化粧部材が用いられていることによる違和感を却って低減することができる。
【０１７１】
なお、凸部６６及び凹部６７５の形状は、図１９〜図２１に示すものに限定されない。例えば凸部６６はＲ面６６３，６６３を有していなくてもよく、突出方向に先細りする形状でもよい。
上側板６２の上端面６２ｄの周縁部に、面取り（例えば糸面取り）加工が施されていてもよい。この場合、上側板６２の上端面６２ｄと化粧部材６７との境界部分を敢えて目立たせることによって、意匠性の向上を図ることができる。
【０１７２】
実施の形態３の階段装置１において、上側板６２が、化粧部材６２０に替えて化粧部材６７と同様の化粧部材を有していてもよい。この場合、上側板６２の上端面に、凸部６６と同様の凸部が設けられる。また、下補助側板６４が、化粧部材６４０に替えて化粧部材６７と同様の化粧部材を有していてもよい。この場合、下補助側板６４の上端面に、凸部６６と同様の凸部が設けられる。
【０１７３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【０１７４】
１      階段装置
２      壁体
２１    端面
２２    左面（壁体の一面）
２３    右面（壁体の他面）
３      直階段（下階側の直階段）
３１    側板
４      直階段（上階側の直階段）
５      廻り階段
５１１〜５１４，５３１〜５３４  段板（第１〜第４の段板）
５３０  段板（第５の段板）
５３５  段板（第６の段板）
６０１，６１１，６２１，６５１  横溝（挿入溝）
６１    下側板（側板）
６１０，６２３，６４３，６５０  切り欠き
６１５，６２６，６３１，６４６，６５５  接触部（突出部）
６１ｂ，６２ａ  右端面（面一の端面）
６１ｃ  左端面（面一の端面）
６２    上側板（側板）
６２０  化粧部材
６２７  皿ネジ（固定用部材）
６２８  凹部
６３    載置台
６４    下補助側板
６５    上補助側板
６６    凸部
６７    化粧部材
６７３  突板（化粧板）
６７５  凹部
【図１】
2019044565.tif 000003
【図２】
2019044565.tif 000004
【図３】
2019044565.tif 000005
【図４】
2019044565.tif 000006
【図５】
2019044565.tif 000007
【図６】
2019044565.tif 000008
【図７】
2019044565.tif 000009
【図８】
2019044565.tif 000010
【図９】
2019044565.tif 000011
【図１０】
2019044565.tif 000012
【図１１】
2019044565.tif 000013
【図１２】
2019044565.tif 000014
【図１３】
2019044565.tif 000015
【図１４】
2019044565.tif 000016
【図１５】
2019044565.tif 000017
【図１６】
2019044565.tif 000018
【図１７】
2019044565.tif 000019
【図１８】
2019044565.tif 000020
【図１９】
2019044565.tif 000021
【図２０】
2019044565.tif 000022
【図２１】
2019044565.tif 000023